(57)【要約】買物客は、様々なポータル（パーソナルコンピュータ、「ウェブテレビ」、キオスク、画面電話）（１００）を通じて「ＳｈｏｐＬｉｖｅ」にアクセスし、品物又はサービスを分類、価格、及び、色彩などによって検索する。品物が見つかると、ビデオカメラ（３００，３１０）は、買物客に対してその端末を通じて商品を走査する。カメラは、品物をより良く表示するために異なる視野（３１０）によって向きを変えるように遠隔的に作動可能としてもよく、または、品目は、所定の走査パターンに従って閲覧されてもよい。買物体験を高めるために、音及び接触感知器のような他の感覚的刺激を用いることができる。買物客はまた、ちょうど店員のような働きをするアシスタント（ＳＬＡ）（１０２）による手助けを求めてもよい。ＳＬＡはまた、製品の有無をチェックし、購入を完了させる手助けをすることができる。
2004507803.tif 000002
【特許請求の範囲】
【請求項１】
エントリ・ポータルを通じて申し込む段階と、
閲覧のための品目を選択する段階と、
選択された品目を動的に表示する段階と、
を含むことを特徴とする販売方法。
【請求項２】
購入する品目の閲覧を遠隔的に命令する段階を更に含むことを特徴とする請求項１に記載の販売方法。
【請求項３】
買物客ポータルを販売アシスタントのポータルに接続し、前記ポータル間の情報の流れを形成する段階を更に含むことを特徴とする請求項２に記載の方法。
【請求項４】
１つの買物セッションにおいて、異なる売り手から１つよりも多い購入品目を選択する段階を更に含むことを特徴とする請求項１に記載の販売方法。
【請求項５】
１つの電子買物カートに品目を集める段階を更に含むことを特徴とする請求項４に記載の販売方法。
【請求項６】
注文書を処理する段階を更に含むことを特徴とする請求項３に記載の販売方法。
【請求項７】
注文調達を行う段階を更に含むことを特徴とする請求項３に記載の販売方法。
【請求項８】
購入に対して買い手に褒美を与える段階を更に含むことを特徴とする請求項７に記載の販売方法。
【請求項９】
異なる売り手からの賞を統合して組み合わせた賞にする段階を更に含むことを特徴とする請求項８に記載の販売方法。
【請求項１０】
買物客を販売アシスタントと電子的に接続する段階と、
買物客と前記販売アシスタントとの間で生の問合せ及び回答セッションを可能にする段階と、
前記販売アシスタントによって選択された品目を表示する段階と、
を含むことを特徴とする、買物客を手助けする方法。
【請求項１１】
買物判定基準を判断する段階を更に含むことを特徴とする請求項１０に記載の買物客を手助けする方法。
【請求項１２】
買物客プロフィールを作成する段階を更に含むことを特徴とする請求項１１に記載の買物客を手助けする方法。
【請求項１３】
買物客のプロフィールに基づいて表示用の品目を選択する段階を更に含むことを特徴とする請求項１２に記載の買物客を手助けする方法。
【請求項１４】
商品を表示する段階と、
前記商品の画像を作成する段階と、
前記画像を遠隔的に閲覧する段階と、
前記商品の閲覧を遠隔的に制御する段階と、
を含むことを特徴とする、買物客を手助けする方法。
【請求項１５】
小売店環境で商品を遠隔的に表示する段階と、
前記表示された商品の特性に関して情報供給源に質問する段階と、
前記商品を選択する段階と、
前記商品を購入する段階と、
を含むことを特徴とする、買物客の手助けを作り出す方法。
【請求項１６】
通信ネットワークへのポータルを通じて買物客を手助けする方法であって、
買物の目的を判断するために買物客に問い合せる段階と、
前記問合せに応じて商品の照合のためにデータベースを検索する段階と、
選択された商品を表示する段階と、
前記商品を遠隔的に閲覧する段階と、
前記商品の視野を動的に変える段階と、
を含むことを特徴とする方法。
【請求項１７】
電気通信ネットワークに接続されたポータルを通じて前記買物客に問い合せる段階を更に含むことを特徴とする請求項１６に記載の方法。
【請求項１８】
買物客のポータルを買物客アシスタントのポータルに接続し、前記ポータル間の通信を形成する段階を更に含むことを特徴とする請求項１６に記載の方法。
【請求項１９】
求める商品の説明を形成することによって前記買物客のミッションを判断するために、買物客に問い合せる段階を更に含むことを特徴とする請求項１８に記載の方法。
【請求項２０】
商品の好みを判断するために買物客に問い合せる段階と、
人口統計学的データを判断するために買物客に問い合せる段階と、
購入に関するデータを収集する段階と、
前記買物客に関するプロフィールを作成する段階と、
を更に含むことを特徴とする請求項１６に記載の方法。
【請求項２１】
選択した商品を集めるために仮想買物カートを作成する段階を更に含むことを特徴とする請求項１６に記載の方法。
【請求項２２】
買物客が商品に対する支払いを準備することを可能にする購入ゲートウェイを提供する段階を更に含むことを特徴とする請求項１６に記載の方法。
【請求項２３】
買物客に配達の任意選択肢を提供する段階を更に含むことを特徴とする請求項２２に記載の方法。
【請求項２４】
商品に関する情報を交換するために、前記買物客のポータルと前記販売アシスタントの端末との間の対話型セッションを作成する段階を更に含むことを特徴とする請求項１８に記載の方法。
【請求項２５】
前記販売アシスタントに前記買物客に関する履歴データを提供する段階を更に含むことを特徴とする請求項２４に記載の方法。
【請求項２６】
購入の意思決定を手助けするために買物客に情報を提示する方法であって、
ネットワーク内に通信セッションを創設する段階と、
買物客を通信ネットワークを通じて販売アシスタントに接続する段階と、
前記セッションの目的に関する情報を前記買物客から収集する段階と、
前記買物客の目的に基づいて適切な商品を表示する段階と、
を含むことを特徴とする方法。
【請求項２７】
販売及び懸賞に関する情報を前記通信セッション中に買物客に提示する段階を更に含むことを特徴とする請求項２６に記載の方法。
【請求項２８】
割引、割戻し、売上、報酬金、及び、懸賞金を含む選択した商品の金額を計算する段階を更に含むことを特徴とする請求項２６に記載の方法。
【請求項２９】
買物客に商店主カタログへのアクセスを提供する段階を更に含むことを特徴とする請求項２６に記載の方法。
【請求項３０】
商品の有無を判断するために商店主の在庫リストに質問する段階を更に含むことを特徴とする請求項２６に記載の方法。
【請求項３１】
在庫レベルに基づいて動的に品物の価格を決定する能力を更に含むことを特徴とする請求項２６に記載の方法。
【請求項３２】
買物客が前記通信ネットワーク上で選択を行うことにより前記商品を購入する段階を更に含むことを特徴とする請求項３１に記載の方法。
【請求項３３】
一人又はそれ以上の買物客で会議を開く段階を更に含むことを特徴とする請求項２６に記載の方法。
【請求項３４】
ビデオチャットセッションを行う段階を更に含むことを特徴とする請求項３３に記載の方法。
【請求項３５】
買物客の購入に関するデータを収集し、マーケティングのために前記データを分析する段階を更に含むことを特徴とする請求項３２に記載の方法。
【請求項３６】
前記データに基づいて買物客プロフィールを準備する段階を更に含むことを特徴とする請求項３５に記載の方法。
【請求項３７】
前記商品の選択に関する判定基準を設定する段階を更に含むことを特徴とする請求項１６に記載の方法。
【請求項３８】
前記データに基づいてマーケティング報告書を準備する段階を更に含むことを特徴とする請求項３５に記載の方法。
【請求項３９】
大安売り及び特売を前記買物客に通知する段階を更に含むことを特徴とする請求項２６に記載の方法。
【請求項４０】
選択した商品の配達の任意選択肢を前記買物客に通知する段階を含むことを特徴とする請求項３２に記載の方法。
【請求項４１】
配達方法及び配達日を前記買物客に通知する段階を更に含むことを特徴とする請求項３２に記載の方法。
【請求項４２】
遠隔カメラによりアクセスできる空間において商品を表示する方法であって、
ディスプレイ用の区域を創出する段階と、
前記ディスプレイを走査するために、ビデオカメラを前記ディスプレイ区域に配置する段階と、
通信ネットワークを通じて１人又はそれ以上の買物客を閲覧のために前記カメラに接続する段階と、
買物客が前記ディスプレイ区域内の商品を閲覧することができるように前記カメラを遠隔的に操作する段階と、
を含むことを特徴とする方法。
【請求項４３】
買物客がオンサイトの通信ポータルを通じて前記カメラにアクセスする段階を更に含むことを特徴とする請求項４３に記載の方法。
【請求項４４】
販売アシスタントを前記通信ネットワークを通じて前記買物客に接続する段階を更に含むことを特徴とする請求項４２に記載の方法。
【請求項４５】
前記販売アシスタントが前記カメラを操作する段階を更に含むことを特徴とする請求項４４に記載の方法。
【請求項４６】
前記買物セッション中に購入を行うために買物客にトークンを発行する段階を更に含むことを特徴とする請求項４２に記載の方法。
【請求項４７】
買物客が購入を行う段階を更に含むことを特徴とする請求項４２に記載の方法。
【請求項４８】
購入品を在庫リストから集め、買物客に配達する段階を含むことを特徴とする請求項４７に記載の方法。
【請求項４９】
買物客を通信ポータルを通じて通信ネットワークに接続する段階と、
購入する商品の情報に関して買物客に質問する段階と、
買物客を前記通信ネットワークを通じて販売アシスタントのゲートウェイに接続する段階と、
選択された商品の情報を前記通信ネットワークを通じて前記買物客及び販売アシスタント間で共有する段階と、
を含むことを特徴とする、買物客を手助けする方法。
【請求項５０】
買物客と商店主との間の対話型通信ネットワークを創出する段階と、
買物客プロフィールを集める段階と、
前記買物客プロフィールに基づいて広告方法を選択する段階と、
買物客にメッセージを流すための買物客の許可を取得する段階と、
前記プロフィールに基づいて情報を前記ネットワークを通じて前記買物客に提示する段階と、
を含むことを特徴とする、買物客に広告を流す方法。
【請求項５１】
前記情報を受信することに関して買物客の承諾を得るために勧誘を行う段階を更に含むことを特徴とする請求項５０に記載の方法。
【発明の詳細な説明】
【０００１】
（技術分野）
本発明は、電子商取引に関する。具体的には、本発明は、生の買物及び販売の体験を支援するインターネット又は他の対話型ネットワークを使用して、品物及びサービスを市場に出して販売するための情報処理方法に関する。
【０００２】
（背景技術）
現在のオンラインショッピングは、基本的には、買物客が電子店舗又は電子店舗の集合に電子メールで訪れるカタログ操作である。買物客は、ユーザに馴染みがないかもしれない異なるユーザインタフェースを各々が有する電子モールサイトを通してリスト又はキーワード検索によってナビゲートする。ユーザには、商品について知識が得られるようにテキスト及びビデオを含む原稿書き表示が提示される。一部のサイトは、店舗位置を映し出す静止ビデオカメラを通じて商品へアクセスする。これらのカメラには、パン撮り、チルト、及び、ズーム画像を含む商品表示を走査するものもある。これらのカメラはまた、静止画像を提示することができ、店員との対話は行なわれない。また、ストリーミングビデオを使用して商品を表示する。次に、買物客は、ウェブサイトを使用して製品の選択及び支払いを行う。買物客は、ウェブサイトを通してナビゲートする必要があり、その結果、その買物体験にフラストレーションを感じてしまい、買物をする試みを止めてしまう。
【０００３】
オンライン商店主が直面する別の問題は、潜在的な消費者を自分たちのウェブサイトに効率よく引き付けることができない点である。テレビ、インターネット、及び、新聞による広告は、ウェブサイトへのトラフィックを促進するのに使用される。これを支えるのに必要な努力及びインフラストラクチャは、非常に経費のかかるものであり、このために一部のオンライン商店主が廃業に追い込まれる恐れがある。これに加えて、ウェブサイトは一元化されており、買物客に最も近いか又は好まれるローカルな小売店場所では対話しないという事実がある。
【０００４】
インターネット及びワールド・ワイド・ウェブの人気が高めるにつれて、商店主が製品を市場に出して販売するためにウェブサイトを開設することが一般的になってきた。買物客の興味を満たすように全ての製品及びサービスを買物客に提供することができる商店主は皆無である。関連の製品及びサービスが必要なことさえあるが、所定の商店主によって提供されない場合がある。例えば、照明器具店から照明器具を買う買物客は、それを取りつけるのに電気技師が必要であろう。家具店は、通常、部屋への据付を完了するのに必要とされる付属品は扱っていない。商店主は、関連製品やサービスを提供してもよいのである。
【０００５】
テレビ会議用に双方向ビデオサービスがあり、商品閲覧用に静止ビデオがある。これらのサービスは、店内小売ショッピング事象をシミュレートするのには使用されてこなかった。店員の知識豊かな助けがない無益な商品表示は、購入体験を削いでしまう。既存のブラウザは、買物客がホームページ上をクリックして商品を閲覧できるようにすることにより買物客を助けている。このようなブラウザの例には、「メディア・ブラウザ」によって提供されるものがある。しかし、これは生の商品提示ではなく、店員によるサポートもない。
フラストレーションや店員の世話が無いことが、買い手がオンラインの買物を止める主な理由である。本発明は、生の販売員がいる対話型システムから便益が得られるこれら及び他の問題に対処するものである。
【０００６】
（発明の開示）
本発明は、オンライン買物客が、彼等の「ＳｈｏｐＬｉｖｅ」買物セッションの判定基準を設定し、自分たちの判定基準を満足する「ＳｈｏｐＬｉｖｅ」可能なレンガ・モルタル造り店舗を見つけ、生の音声及び映像による援助を得ることを可能にする。買物客は、彼等にネットワーク化された生インターネット可能カメラを通じて製品を見せ、問合せに応えてリアルタイムで製品を実物説明及び表示する生の販売員がいる電子販売の呼び出しを開始することができる。買物客は、生の販売員と接し、同時にまるで自らその場で製品を見ているかのように様々な角度からその製品を見ることができ、それによってオンサイト・ショッピングに似た独特な体験を持つ。他の買物客がそのセッションに参加してもよい。買物客補助はまた、生の店員の動画や音声認識及び応答システムを含む自動化によって提供されてもよい。人工知能を使用して、生の手助け又は同様な体験をシミュレートするために買物セッションを動画化することもできる。これらのシステムの全ては、生の買物体験を真似た分かり易い方法で買物客と対話する。
【０００７】
買物客は、「ＳｈｏｐＬｉｖｅ」ポータルを通って「ＳｈｏｐＬｉｖｅ」環境に入る。ポータルは、家庭用端末、キオスク、店内端末、及び、移動通信装置又は通信ネットワークにアクセスする同様な手段からとすることができる。買物客は、単一のセッションを開始するか、又は、登録買物客としてログオンすることができる。事前登録は、買物の過程を速め、買物客に銘柄や価格等の買物客支援情報を提供し、懸賞金、優待券、割引、及び、期間限定の割引又は奨励金の使用を促進する。ある時点で買物客が登録され、経時的に更新し得る個人的な買物客プロフィールが作成される。また、買物客は、目標や製品及びサービスに対する消費限度までも定め、同じく選択に関する相談の要請も含む買物リストを作成してもよい。
【０００８】
通常の買物セッションにおける買物客は、一元化されたサービス又は買い手と売り手との間の直接的な通信を通じて、買物客が購入したいと思う製品の商店主との接触を確立する。買物客及び商店主は、インターネット又は類似の電気通信ネットワーク上でリアルタイムの会話又はチャットモードの生の対話式音声、映像、及び、データリンクを通じて接続される。店内の買物及び販売の状況と同じように、買物客は、質問するか又は自分の興味を説明し、商店主は、それに応えて提案及び代替案を提供し、ビデオカメラ又は同様の装置を通して品目を表示し、その品目の特徴を説明しながら情報を提供する。品目は、買物客のために異なる視点から表示されてもよい。品目を説明する商店主は、生地及び同様の製品を説明することによって買物体験を高める場合がある。買物客によりそのポータルで使用される接触感知器は、感触、重量、色、及び、これらと同じ特徴をシミュレートすることができる。同様に、衣服のホログラフィック適合によって、その品目を買物客の画像上に置き、衣類のフィット性及び外観を表現することができる。本発明は、商店主の個人的なサービスによって支援された、あらゆる場所からアクセスできる全世界的オンラインショッピングの利便性を提供する。
【０００９】
ちょうど店やモールにおけるように、買物客は、通りすがりにいくつかの小売店を訪ね、購入のためのいくつかの選択を行うことができる。次に、選んだものが単一の買物カートに集められ、買物客は、彼らがそのように選べばクレジットカードなどの単一支払いソースを使用して、１つの購入取引により勘定の支払いをする。あるいは、支払い金額は分割にすることができる。このワン・ストップ・ショッピング及び勘定支払いは、多数の店舗に次々とアクセスするのを回避し、小売店環境での実際の買物体験を真似るものである。
【００１０】
「ＳｈｏｐＬｉｖｅ」は、購入に関するデータを累積し、懸賞金プログラム、割引、及び、優待券に関して、それを商店主、モール所有者、デザイナー、及び、製造業者に提示する。「ＳｈｏｐＬｉｖｅ」はまた、買物サイトに対して、買物客がそれを通じて商店主にアクセスするのを奨励するために「ＳｈｏｐＬｉｖｅ」奨励金を準備する。
「ＳｈｏｐＬｉｖｅ」は、買物客の好み及び購入上の癖に関する複合データベースを有し、このデータから、販売、限定在庫品目、及び、販売促進のために、又は、指定された好み又は要請を満足させるために特別価格を付けることができるプロフィールを作成する。このデータベースは、商店主及び支払い形式の売上げデータを蓄積し、より完全な買物客購入プロフィールを作成する。それはまた、「ＳｈｏｐＬｉｖｅ」システムに入るのに使用されたポータルの方法で買物客がどのように商店主にアクセスしたかに関するデータを蓄積する。このデータベースによって、商店主は、買物客に最も近い場所で買物客に品目を提供することができ、買物客グループの購入パターンに合うように特売及び報酬金を調整することができる。
【００１１】
本発明は、既存のレンガ・モルタル造り小売店、卸売及び流通問屋、及び、製造業者流通経路の既存の市場インフラストラクチャを利用する。本システムの各部分は、その最も得意とする役割を実行する。小売り商店主は、一般消費者と接触し、品物及びサービスの両方を彼等の買物客に提供する。小売り業者は、大量に取得及び保管された特定種類の品物を専門とする１つ又はそれ以上の卸売／流通業者と取引きする。品物の納品は、様々な配達サービスを使用した既存の流通方法によって行われる。
【００１２】
「ＳｈｏｐＬｉｖｅ」は、既存のインフラストラクチャの能力を高めるため、また、買物客に対して製品及びサービスへのローカルアクセスを提供して小売り業者の販売区域を増すために、この既存インフラストラクチャの上にかぶさる技術を使用する。ブロードバンド電気通信ネットワークは、消費者に供給される内容を通過させるパイプを準備する。その導入の普及により、「ＳｈｏｐＬｉｖｅ」体験が達成可能となる。
【００１３】
本発明の目的
従って、本発明の目的は、商店主が、遠隔地の閲覧者による商品へのリアルタイムのアクセスを提供し、製品を表示して消費者と販売上の会話を行うために映像及び音声を通じて閲覧者と対話することを可能にすることである。
本発明の別の目的は、買物客が自らの判定基準を満足する適切な商品又はサービスにアクセスすることを可能にする買物ミッションの定義を作成することである。
【００１４】
本発明の目的は、買物セッションを通してナビゲートし、より容易に買物客の目的を達成させるための買物客プロフィールを作成することである。
更に別の目的は、買物体験を管理する取引ゲートウェイを作成することである。
本発明の別の目的は、製品の付属品、及び、妥当な場合にはその使用法及び設置に関する情報に対して、買物客に生のサービスサポートを提供することである。
本発明の更に別の目的は、「ＳｈｏｐＬｉｖｅ」の買物客が、買物セッションからの単一の支払いに対して、１つ又はそれ以上の商店主からの商品を入れる単一の買物カートを作成することである。
【００１５】
本発明の目的は、アクセス及びナビゲートするのが容易な、買物客が「ＳｈｏｐＬｉｖｅ」システムに入るためのポータルを作成することである。
本発明の更に別の目的は、１つ又はそれ以上の買物セッションからの商店主及び製品対象の割引、懸賞金、奨励金、及び、同様の販売促進用の賞品を累積する便利な手段を作成することである。
本発明の上記及び他の特徴及び利点は、本発明を制限するものではなく説明することを意図したいくつかの好ましい実施形態の図面を参照しながら説明される。
【００１６】
（発明を実施するための最良の形態）
定義
以下の語句及び単語は、本明細書を通じて広範囲に使用される。混乱を避け、一貫性を確保するために、それらの用語を以下に定義する。
エージェント：ＳＬＡを参照のこと。
クリエーションズ：飛び入り及びインターネットベースの買物体験。「クリエーションズ」店又は小売店の場所は、テナントが商品を表示し、最新式ビデオカメラがインターネットビデオベースの買物、ビデオカタログ、及び、調達及び配達機能用の収納倉庫をサポートする賃貸表示区域が特徴である。飛び入り買物客は、店内を見歩き、カタログと対話するための簡便なコンピュータタブレットを使用して様々な製品について買物をする。支払い時点には、製品が受け取られるように用意されている。インターネットベースの買物客は、生のビデオ技術を使用して買物を行ない、買物品の受取又は配達の手配をする。
【００１７】
商店主：「ＳｈｏｐＬｉｖｅ」可能な店舗、小売店、又は、企業であり、買物客に品物又はサービスを提供する。
プッシュデータ：商店主又はＳＬＡは、ビデオセッション中に買物客にデータ（ホームページ又は検索結果）を送る能力を有する。この行為は、データをプッシュするといい、これによって、商店主の画面に表示される情報が買物客の端末にも表示される。
ＳＬＡ：「ＳｈｏｐＬｉｖｅ」ビデオ技術を使用して買物客の買物体験を手伝けする「ＳｈｏｐＬｉｖｅ」上の個人的買物客。この個人、つまり人を表す動画は、生ビデオセッションを通じて買物客に対して買物の手助けを提供する。これらの個人は、ＳＬＡ、ビデオエージェント、ＳＬＡエージェント、「モール」エージェント（ショッピングモールを代表するビデオ可能エージェント）、又は、「ＳｈｏｐＬｉｖｅ・個人的買物客」と呼ばれることがある。
【００１８】
ビデオ商店主：「ＳｈｏｐＬｉｖｅ」ビデオ技術を使用して買物をする能力を提供する「ＳｈｏｐＬｉｖｅ」商店主。
ビデオステーション：「ＳｈｏｐＬｉｖｅ」アプリケーションで登録されたビデオ可能ワークステーション。ビデオステーションは、ビデオカメラ、コンピュータワークステーション、及び、専用アプリケーションソフトウエアから成る。
仮想エージェント：遠隔コンピュータワークステーション及びビデオカメラを使用して個人レベルの買物の手助けを提供する「ＳｈｏｐＬｉｖｅ」遠隔アシスタント。「ＳｈｏｐＬｉｖｅ」ビデオによって、エージェントは、家庭用遠隔ビデオステーションを通じて買物客にサービスを提供することができる。
【００１９】
図面上の記号
以下の記号は、「データ流れ図」の中で使用される。
●：作用又はシステム処理。「内部」キーワードは、内部処理を示す。
●：「ＳｈｏｐＬｉｖｅ」処理と対話するユーザ。
●：処理で使用されるデータベース表又はデータ集
●：アプリケーション内のデータ又は情報の流れ
●：ＨＴＭＬ又はインターネットページ
●：「ＳｈｏｐＬｉｖｅ」に送信又はそれから受信した電子メールメッセージ
●：内部処理と外部処理との間で情報を転送するのに使用されるＸＭＬ文書
影付き部分は、「ＳｈｏｐＬｉｖｅ」アプリケーションの外部又はサブシステムである。情報は、これらの処理の間で交換される。
【００２０】
システム概要
「ＳｈｏｐＬｉｖｅ」は、「ＳｈｏｐＬｉｖｅ」構成要素間の情報交換、並びに外部アプリケーションとの通信をサポートするための以下の専有権を有するデータ交換方法を利用するいくつかの構成要素から成る。
データ転送が必要とされる外部アプリケーション（外部商店主カタログ、外部在庫、ＵＰＳ又はＦＥＤＥＸ配達システム）による全てのデータ交換では、ＸＭＬが使用される。「ＳｈｏｐＬｉｖｅ」データ及びデータ要求は、交換を目的として業界標準ＸＭＬ書式としてフォーマット化される。「ＳｈｏｐＬｉｖｅ」は、符号化及び復号化を目的としてシステム構成要素を利用する。一般的なＸＭＬ書式には、外部製品検索、検索結果、カタログ更新、及び、配達要求が含まれる。
クレジットカードによる取引きは、暗号化データ及び安全なブラウザ接続を使用してＸＭＬ書式として処理される。処理サービスプロバイダは、交換される情報の方法及びフォーマットを指定する。「ＳｈｏｐＬｉｖｅ」は、その公開プロトコルに準拠している。
【００２１】
内部通知は、買物客が「ＳｈｏｐＬｉｖｅ」ビデオ技術を使用して「ＳｈｏｐＬｉｖｅ」個人的買物客、商店主、又は、モールアシスタントと通信する主な方法である。「ＳｈｏｐＬｉｖｅ」アプリケーションは、構成要素相互間及び構成要素内通信の両方のために内部通知メッセージを広範囲に利用する。メッセージは、標準「ＳｈｏｐＬｉｖｅ」プロトコルにフォーマット化され、「ＳｈｏｐＬｉｖｅ」メッセージング構成要素を通じて管理される。このアプリケーションは、メッセージ記憶及び配信のために一連の通知待ち行列を使用する。別々の待ち行列が、メッセージング能力を必要とする各処理のために維持されている。一般的なメッセージ待ち行列には、以下が含まれる。
ＳＮＱ：システム通知待ち行列。全ての内部メッセージのマスターメッセージング待ち行列。
ＰＮＱ：個人的通知待ち行列。各買物セッションのために作成された通知待ち行列。
ＭＮＱ：商店主通知待ち行列。各ビデオ商店主のための通知待ち行列。
従属待ち行列は、商店主位置に付随する各ビデオステーションのために作成される。
ＡＮＱ：エージェント通知待ち行列。通知待ち行列は、各「ＳｈｏｐＬｉｖｅ」アシスタント又はモールアシスタントのために、彼らが「ＳｈｏｐＬｉｖｅ」アプリケーションにログインした時に作成される。
【００２２】
構成要素間相互通信の最後の方法はイベントである。これらは、買物セッション中に発生する買物セッション事象の追跡に使用される特定システム用のデータブロックである。イベントによって、買物セッション中の買物客の活動を追跡する標準的な方法が得られる。それらは、買物セッション中の買物客の活動の発生順の履歴を提供し、買物客が入力した検索判定基準、商店主訪問の記録、及び、手助けの要請、購入品、及び、買物カートによる活動が含まれる。
イベントは、各買物セッションの発生順の履歴を提供し、データマイニング目的、統計的報告書、又は、買物客が活発なセッションの途中で誤って接続が切られた場合のセッション又は買物客の買物カートの再構築のために、「ＳｈｏｐＬｉｖｅ」アプリケーションによって使用される。
【００２３】
「ＳｈｏｐＬｉｖｅ」システムのデータのドメインは、データの異なる区域又は集まり（「データドメイン」又は「データ集」と呼ばれる）に分割されている。「データドメイン」は、以下の機能を実行する。すなわち、「ＳｈｏｐＬｉｖｅ」アプリケーション向けの主要データ集の識別、各データドメイン内のデータベース表の識別及び説明、各表内の主要データ要素の説明とデータ要素及びその内容の簡単な説明の提供、及び、データ要素に関連したあらゆる業務規則又は規制の識別である。
【００２４】
多くの場合、データベース表は、ロイヤルティー又はバナー管理アプリケーションなどの第三者ＡＳＰ構成要素内に含まれている。個々の要素ではなく、「ＳｈｏｐＬｉｖｅ」デザイン・インタフェース及びデータ集が参照される。例えば、ロイヤルティープログラムは、登録及び確認処理中に買物客ＩＤ番号、並びに買物客プロフィール情報を交換する。ロイヤルティープログラムが選択された時には、プロフィールデータを備えるデータ要素がロイヤルティーアプリケーションに送られる。
【００２５】
「買物客データドメイン」は、買物客登録から銘柄の好み、そして発送上の好みに及ぶ各個別の「ＳｈｏｐＬｉｖｅ」買物客に関するデータを含む。通常は、この情報は、買物客登録、調査、及び、進行中の買物セッションの実行を通じて収集される。編集されたデータの種類を以下に示す。
１．買物客プロフィールは、氏名、アドレス、及び、関連個人データを含む。
２．買物客マスターファイルは、ログイン及び確認を目的とした全ての登録「ＳｈｏｐＬｉｖｅ」買物客のマスターリストを含む。
３．アドレスは、自宅、郵送、及び、発送に関する情報を含む。
４．家族／グループファイルは、家族及びグループ構成員に関するデータを含む。
５．個人カレンダは、特定買物客の重要データを含む。
６．ギフトレジストリは、本人及び家族構成員の希望リストに関するデータを含む。
７．個人フォルダは、２つの異なる区分である製品サイト及び商店主サイトを備える。個人フォルダは、買物客が商店主カタログから直接か又は買物カートから自分の個人フォルダに保存した特定製品用の情報を保持する。第２の区分は、買物客が覚えておきたいと思う商店主ウェブサイト又はリンクのリストを保持する。この区域は、特定「ＳｈｏｐＬｉｖｅ」用の「私のお気に入り」である。
８．好み用ファイルは、買物客の銘柄及び購入品の好みを含む。商店主及びＳＬＡは、ショッピング中、並びに買物ミッション作成中にこのデータを使用する。商店主はまた、買物セッション中に広告の標的を決めるためにこのデータを使用する。
９．財務フォルダは、買物客の暗号化されたクレジットカード及び個人的財務情報を含む。
１０．関心ファイルは、買物客の関心及び癖に関するデータを含む。
１１．買物歴ファイルは、購入品を含む買物客の過去の買物セッションに基づく買物歴データを含む。
１２．買物客ＰＮＱは、買物セッションが起動された時に使用される、システムの通知、喚起、及び、メッセージを含む。これは、各買物客に対する一時的なセッションＰＮＱを編集するのに使用される永続的な通知データである。
１３．購入履歴ファイルは、各買物客が完了した購入品の未決注文書、並びに買物客が過去のセッションで完了した実際の購入品を含む。
【００２６】
モールデータドメインは、様々なモール特性、内容、マップ、及び、商店主ディレクトリに関するデータを含む。それは、モールプロフィールと、所在地と、企業データとを含むモールディレクトリ、モールマップの作成に使用されるモール配置付きマップ及び画像付きグラフィックマップ、分類及びモール所在地によってリンクされたアクティブ商店主及びアクティブ商店主エージェントのリストを有する店舗ディレクトリ、アクティブ・ビデオ・ステーション及び関連の実際的所在地のリストを有するビデオステーションレジストリ、及び、モール顧客関係管理（ＣＲＭ）セッション起動時に使用されるシステムの通知、喚起、及び、メッセージを有するモールエージェントベースの通知待ち行列（ＡＮＱ）を含む、「ＳｈｏｐＬｉｖｅ」アプリケーション、商店主、及び、買物客によって必要とされる全てのモール関連データを包含する。これは、各モールエージェントに対するセッションＡＮＱの編集に使用される永続的な通知データである。
【００２７】
「商店主データドメイン」は、様々な「ＳｈｏｐＬｉｖｅ」商店主、カタログ、ビデオステーション、所在地、小売内容、及び、商店主プロフィール情報に関するデータを含む。それは、「ＳｈｏｐＬｉｖｅ」アプリケーション、商店主、及び、買物客によって必要とされる全ての商店主関連データを包含する。データセットには、小売商及びその所在地に関するデータを含むプロフィール、商店主カタログ品目を含むカタログ、カタログに付随するビデオや、納入業者供給ビデオ又は情報コマーシャルとのリンクを含むことがあるウェブサイトを包含するビデオカタログ、特定店舗用在庫情報、「ＳｈｏｐＬｉｖｅ」から開始された売上げに関するデータ、未決及び完成注文書に関する情報、「ＳｈｏｐＬｉｖｅ」がホストになっているか又は小売商ウェブサイト上にある商店主「ウェブページ」と共に各商店主に関する企業及びウェブサイトプロフィール、商店主ログイン中に使用されるシステムの通知、喚起、及び、メッセージを含む商店主ベースの通知待ち行列（ＭＮＱ）（これは、各商店主ビデオステーションのセッションＭＮＱの編集に使用される永続的な通知データ）、買物客注文編集時に使用される買物客購入データ、及び、好ましい発送業者を含むアドレス及び発送情報が含まれる。
【００２８】
買物システムデータドメインは、アクティブ買物セッション中に「ＳｈｏｐＬｉｖｅ」によって維持される全ての一時的データ関連のシステムデータを含む。それは、消費者及び商店主マーケティング統計の編集にシステムによって使用される買物セッションの詳細記録を含む。買物客プロフィール、買物活動、及び、傾向を更新するために、買物セッション記録がアプリケーションによって使用される。このデータは、主として「ＳｈｏｐＬｉｖｅ」データアーカイブから除外する前のデータマイニング活動に使用される。この一時的データは、買物セッション履歴、セッションイベントのエージェント活動及び記録、その後の使用に備えて記憶することができる買物ミッションデータ、及び、切断発生時に買物客の最後のアクティブセッションとの再接続を可能にしてその買物カートを復元するために記憶される各買物客のアクティブ買物カート及びその前の買物カートから成る。
【００２９】
システムデータドメインは、実行を目的として「ＳｈｏｐＬｉｖｅ」アプリケーションによって必要とされる全てのシステム制御情報を含む。これらの表は、主として、システム及び制御を目的としてアプリケーションによって使用される静的情報である。典型的な例には、州名、都市、業務規則、州の税金、アプリケーション業務規則、及び、通常の処理中に「ＳｈｏｐＬｉｖｅ」アプリケーションによって必要とされる他のアプリケーションデータの表が含まれる。システムデータドメインには、以下のものが含まれる。
１．ＩＰアドレス情報を含め、登録ビデオステーション、及び、関連商店主及びモールとのリンクのリストを含む「ビデオステーション」。
２．「ＳｈｏｐＬｉｖｅ」エージェントＣＲＭセッションが起動された時に使用されるシステムの通知、喚起、及び、メッセージを含むＳＬＡエージェントベース通知待ち行列を有するＡＮＱ。これは、各ＳＬＡエージェントのセッションＡＮＱの編集に使用される永続的な通知データである。
３．「ＳｈｏｐＬｉｖｅ」、モール、及び、商店主ビデオステーションのための登録買物客サービスエージェントのリストを含むエージェント。
４．検索中に商店主分類に使用される製品カテゴリーリストを含む製品カテゴリー。
５．ＳＬＡエージェントは、買物客サービスエージェント及びＣＲＭ構成要素によって使用される保安情報のアクティブリストを含む。それは、ＳＬＡに関する全ての関連情報を含む。
６．通知待ち行列は、ＳＬＡエージェント、商店主、モールエージェント、及び、「ＳｈｏｐＬｉｖｅ」アプリケーションによって使用される買物客通知を含む。また、「ＳｈｏｐＬｉｖｅ」は、全ての内部メッセージの処理に使用される共通システム通知待ち行列を保持する。
７．活動履歴は、買物客による訪問と、ビデオステーション、商店主、及び、ショッピングモールによる活動とに関する統計情報を含む。それは、「ＳｈｏｐＬｉｖｅ」、モール管理者、及び、個々の商店主に関するトラフィック及び活動報告書の生成中に使用される。
８．ヘルプファイルは、ＦＡＱを含む「ＳｈｏｐＬｉｖｅ」システム・ヘルプデータを含み、このデータは、「ＳｈｏｐＬｉｖｅ」アプリケーションを使用する買物客、商店主、ＳＬＡ、及び、「ＳｈｏｐＬｉｖｅ」商店主に対してオンラインヘルプを提供するために使用される。
９．グループ統計は、トラフィック及びグループ人口統計報告書のための月間情報、消費者グループ情報、商店主情報、モール情報、及び、他の統計的情報を含む。このデータは、マーケティング及び傾向分析のためにグループレベルで編集される。
１０．ＸＭＬ確認規則は、ＸＭＬ着信及び発信メッセージに関する復号規則を含む。システム構成要素は、システム間相互通信用ＸＭＬ文書の解釈又は作成にこれらの規則を使用する。
１１．エラー記録は、あらゆるシステムエラーと共に、その重大度及び適切なエスカレーター式業務規則を含む。
１２．買物客コメントは、買物客苦情データ、現在の状態、及び、苦情解決情報を含む。
【００３０】
「ＳｈｏｐＬｉｖｅ」は、新しい買物体験を創出し、しかも買物客の以前の買物体験を模倣しているために買物客に快適な形式で体験を提示する。この結果を達成するシステムは、「ＳｈｏｐＬｉｖｅ」システムを構成するいくつかの構成要素を有する。このシステム又は同等システムで作動するのは、以下で概説し、好ましい実施形態の図面及び詳細記述を参照しながら詳細に説明する「ＳｈｏｐＬｉｖｅ」方法論である。
【００３１】
「ＳｈｏｐＬｉｖｅ・ビデオ」は、リアルタイムの対話によるビデオ買物体験を提供し、登録「ＳｈｏｐＬｉｖｅ」買物客と「ＳｈｏｐＬｉｖｅ」商店主又は「ＳｈｏｐＬｉｖｅ・アシスタント」との間の対話を提供する能力をもたらす。ビデオ可能な対話は、買物客と商店主との間で行われるが、アプリケーションはまた、買物体験中には、生音声によるチャット及び対話式テキストによるチャットに対応しなければならない。インターネットを使用して、買物客は、インターネット及び「ＳｈｏｐＬｉｖｅ」ビデオ技術を使用する生の販売員と対話することができる。また、この構成要素は、グループショッピング又は生ビデオセミナーに対応するために、ビデオ会議処理をサポートする。「ＳｈｏｐＬｉｖｅ」ビデオ会議のシナリオでは、システムは、視聴者グループが「ＳｈｏｐＬｉｖｅ」商店主又は「ＳｈｏｐＬｉｖｅ」アシスタントから送られる同一の放送（生放送）を見る能力を提供する。買物客は、事実上、店内ビデオステーションから送られる生放送を見ているわけである。
【００３２】
「買物ミッション」は、買物の用件を定義し、測定可能なパラメータを設定するものであり、これらのパラメータによって、予め入力された目的又はミッション判定基準を使用して買物ミッションが円滑に履行される。買物ミッションパラメータは、買物セッション中に「ＳｈｏｐＬｉｖｅ」商店主によって対話式にアクセスされ、買物及び販売体験を高めるために使用される。
買物客プロフィールは、買物客を登録し、登録された買物客に対して買物体験を円滑化するために「ＳｈｏｐＬｉｖｅ」が使用することができる買物客プロフィールを定義する能力を提供する。買物客プロフィールには、好み、買物履歴、及び、他の消費者挙動データが収められている。「ＳｈｏｐＬｉｖｅ」商店主は、買物セッション中に対話式に買物客プロフィール情報にアクセスすることができ、買物客の好みを判断して商店主が買物客により良く仕えることを可能にする。
【００３３】
「ＳｈｏｐＬｉｖｅ」に支援された買物は、買物客に自分の買物ミッションを助けるＳＬＡと対話する能力を提供する。ＳＬＡは、買物客のために製品及び商店主の検索を行ない、質問に答え、買物客をビデオ商店主に接続し、必要に応じてミッション定義及び他のセッション機能について手助けすることができる。ＳＬＡは、ビデオ買物客の個人的な買物エージェントの役目をする。
「ＳｈｏｐＬｉｖｅ」買物カートは、買物客が共通の買物カートに多数の商店主からの品目を記憶することを可能にする。この構成要素によって、買物客は、各小売商まで足を運ばずに多数の小売商又は所在位置から品目を購入することができる。買物カートは、購入ゲートウェイと密に一体化している。
【００３４】
「購入ゲートウェイ」は、買物客が共通の「ＳｈｏｐＬｉｖｅ」買物カートを使用して様々な商店主から品目を選択及び購入する能力を提供する。「ＳｈｏｐＬｉｖｅ」カートによって、買物客は、「ＳｈｏｐＬｉｖｅ」買物カートからミッション中に以前に選択した製品を買うことができる。購入ゲートウェイは、クレジットカードを通じての商店在庫照会により購入取引を管理する。このゲートウェイは、販売取引及び商店主への通知を処理する。
【００３５】
「取引ゲートウェイ」（買物セッション）は、買物客がキオスクを通じてインターネットで、又は、「クリエーションズ」タッチパッド、無線装置、又は、同様のポータルと対話することにより「ＳｈｏｐＬｉｖｅ」取引ゲートウェイを申し込む時に作成される。「ＳｈｏｐＬｉｖｅ」アプリケーションは、その特定の買物客のために独自の買物セッションを作成する。このセッションは、取引ゲートウェイの役目をし、それを通して買物客が買物体験を完了する。
【００３６】
以下の構成要素によって、「ＳｈｏｐＬｉｖｅ」アプリケーションの実行がサポートされる。これらの構成要素は、データを管理し、又は、これらの構成要素によって与えられた情報へのアクセスに対応する。
セッション・ゲートウェイ・フレームワークは、「ＳｈｏｐＬｉｖｅ」コアアプリケーション構成要素と、このアプリケーションを使用する商店主との間で情報を交換するための共通のゲートウェイである。セッションゲートウェイは、モール又は商店主レベルと、「ＳｈｏｐＬｉｖｅ」サーバで実行されている「ＳｈｏｐＬｉｖｅ」取引ゲートウェイ買物セッションとで作動している構成要素間の相互作用をサポートする。
【００３７】
検索エンジンは、買物客又はＳＬＡが「ＳｈｏｐＬｉｖｅ」検索エンジンを通じてモール、店舗、又は、製品を検索する能力を提供する。検索エンジンは、その情報を得るために「ＳｈｏｐＬｉｖｅ」内部及び外部データベースの両方にアクセスする。
カタログアクセスは、買物客のために小売商及びチェーン店レベルの両方でのカタログ情報へのアクセスを提供する。このアプリケーションは、買物客のためにカタログデータに直接アクセスし、又は、外部データベースに記憶されたカタログ情報への共通のインタフェースを提供する。これによって、カタログの内容が必要に応じてテキスト、画像、又は、ビデオ映像としてサポートされる。
【００３８】
在庫アクセスは、店舗位置レベルでカタログ在庫の有無を問い合せる能力を提供する。「ＳｈｏｐＬｉｖｅ」アプリケーションによって管理される在庫は、外部在庫システムデータが共通のインタフェースを通じて供給されている間は、即時にアクセス可能である。在庫データを交換する一般的な方法は、在庫ＡＰＩ及びＸＭＬ書式を使用して「ＳｈｏｐＬｉｖｅ」アプリケーション内の参加者によって文書化及びサポートされている。
【００３９】
購入履行は、「ＳｈｏｐＬｉｖｅ」買物客のために購入品を確認し、買物サイクルを完了し、買物客の好みに基づいて集荷、発送、及び、取り扱いを含む注文調達を処理する能力を提供する。購入履行は、外部購入履行アプリケーションとのインタフェースを通じて、又は、その処理のための商店主のアプリケーションとのインタフェースを通じて「ＳｈｏｐＬｉｖｅ」内で処理される。
マーケティング報告書及び買物客プロフィール処理は、買物客プロフィール情報を登録商店主又はプロフィール情報を必要とする商店主に提供する。市場分析報告書に関する商店主及びモールによるデータマイニング実行のために、人口統計学的グループによる傾向分析報告書が利用可能である。商店主及びモールは、「ＳｈｏｐＬｉｖｅ」報告書作成機能を使用して報告書にアクセス及び印刷することができる。
【００４０】
消費者購入データのデータマイニング（消費者のプライバシーに関する規制を受ける）は、統計上の目的及び他のデータマイニング実行のために利用可能である。
「モール」又は商店主によって後援されているロイヤルティープログラムは、登録コードを通した「ＳｈｏｐＬｉｖｅ」買物客への参照によって「ＳｈｏｐＬｉｖｅ」セッション又はプロフィールに組み込まれる。ロイヤルティープログラムアプリケーションは、「ＳｈｏｐＬｉｖｅ」実行アプリケーション又は外部アプリケーションとしてもよい。
【００４１】
「アプリケーションインタフェース」は、第三者製品及び他の外部アプリケーションと接続する。「ＳｈｏｐＬｉｖｅ」システムユーザは、電子メールの送受信を処理するインターネット電子メールアプリケーションにアクセスすることができる。「ＳｈｏｐＬｉｖｅ」アプリケーションは、電子メールを生成して様々なシステムユーザに送信する。一般的な電子メールは、注文確認、マーケティング上の通知、商店主トラフィック報告書、又は、買物客購入確認を含む。
【００４２】
「インタフェース」は、第三者製品及び他の外部アプリケーションと接続する。「ＳｈｏｐＬｉｖｅ」システムユーザは、電子メールの送受信を処理するインターネット電子メールアプリケーションにアクセスすることができる。「ＳｈｏｐＬｉｖｅ」アプリケーションは、電子メールを生成して様々なシステムユーザに送信する。一般的な電子メールは、注文確認、マーケティング上の通知、商店主トラフィック報告書、又は、買物客購入確認を含む。
「ＳｈｏｐＬｉｖｅ」は、様々な商店主による競売をサポートする。ビデオ会議処理ソフトウエアによって、ビデオ競売を予定して「ＳｈｏｐＬｉｖｅ」環境内で行うことができる。商店主は、購入記録及び注文調達を処理する。「ＳｈｏｐＬｉｖｅ」は、競売を行うポータル及びネットワークの役目をする。
【００４３】
本発明の好ましい実施形態の説明
図１を参照すると、本図は、「ＳｈｏｐＬｉｖｅ」アプリケーション内の様々なグループ間の相互関係を図式で表したものである。買物客は、「ＳｈｏｐＬｉｖｅ・ブラウザ」１００、つまり、インターネットベースのビデオ可能な買物体験を完了するためのダウンロード可能なプラグインを使用する。買物客アクセスポータル１００には、キオスクや、「ＳｈｏｐＬｉｖｅ」モール及び商店主施設内のコンピュータタッチパッド、及び、任意のネットワークアクセス装置も含まれる。
【００４４】
「ＳｈｏｐＬｉｖｅ・ブラウザ」１００を使用して、買物客は、「ＳｈｏｐＬｉｖｅ」ビデオ技術を使用してその買物体験を手助けするＳＬＡに買物客を接続するＳＬＡゲートウェイ１０２にアクセスしてもよい。
「ＳｈｏｐＬｉｖｅ・ブラウザ」をポータル１００として使用し、買物客はまた、物理的位置にあるビデオ可能商店主又は店舗１０６の集まりである「ＳｈｏｐＬｉｖｅ」モール１０４パートナーにアクセスすることができる。買物客は、直接にモール商店主を訪問するか、又は、インターネット又は同様の通信ネットワークを使用してモールディレクトリの内容を見て回るか、又は、ビデオ商店主と対話することができる。通信回線はまた、無線としてもよい。
【００４５】
また、「ＳｈｏｐＬｉｖｅ・ブラウザ」を使用して、買物客は、直接に又はＳＬＡゲートウェイ１０２及び「ＳｈｏｐＬｉｖｅ」モール１０４を含む他のアクセスポイントを通じて、「ＳｈｏｐＬｉｖｅ」商店主１０６にアクセスすることができる。「ＳｈｏｐＬｉｖｅ・商店主」サイト１０６は、「ＳｈｏｐＬｉｖｅ」ビデオ技術を使用して買物客と対話するビデオ可能商店主である。ビデオ商店主は、消費者が店内品目を閲覧するか、又は、店内ビデオステーションを通じて小売店スタッフと直接対話することを可能にする「ＳｈｏｐＬｉｖｅ」ビデオ技術を特色にしている。また、消費者は、直接店内に入って店員から購入してもよい。
通信ネットワーク回線である「ＳｈｏｐＬｉｖｅ」構成要素１０２、１０４、及び、１０６をサポートするのは、インターネット及び「ＳｈｏｐＬｉｖｅ」ビデオ技術を使用して「ＳｈｏｐＬｉｖｅ」参加者の相互関係をサポートするソフトウエア及びハードウェアの集まりである「ＳｈｏｐＬｉｖｅ・インターネットアプリケーション」１０８であり、これについて更に検討する。
【００４６】
図２は、好ましい実施形態においてシステムが実行される方法を示すものである。この「実施モデル」は、一般的な商店主アプリケーションにおける「ＳｈｏｐＬｉｖｅ」アプリケーションの提案実施例を図式で表したものである。本モデルは、機能性、サービスの利用可能性、及び、情報収集に関して、また、「ＳｈｏｐＬｉｖｅ・インターネット」２０２、「ＳｈｏｐＬｉｖｅ・モール」２０４、及び、「ＳｈｏｐＬｉｖｅ・商店主」２０６により、アプリケーション機能性をもたらすように互いにクラスター化されたインターネット買物客に対して提供されるサービスの観点から、「ＳｈｏｐＬｉｖｅ」アプリケーションを説明する。本技術の特定アプリケーションに対しては異なる実施モデルが適切であり得るが、構成要素をクラスター化する根本的な手法は、各実施例の基本である。
【００４７】
「ＳｈｏｐＬｉｖｅ・インターネット」２０２機能グループは、「ＳｈｏｐＬｉｖｅ」アプリケーションの心臓部である。全てのアプリケーションによる取引及び情報は、この機能領域から制御される。買物客、「ＳｈｏｐＬｉｖｅ・管理者」、及び、「ＳｈｏｐＬｉｖｅ」ＣＲＭ機能には、この構成要素グループからサービス及び情報が提供される。個々の構成要素及びその関連情報は、本図では機能領域として示され、以下で説明するように、更に１次及び２次構成要素と関連する。セッション・ゲートウェイ・フレームワーク構成要素は、他の機能領域との通信及び情報交換を管理する。図内の矢印は、情報交換を示す。「ＳｈｏｐＬｉｖｅ・モール」２０４機能領域は、アプリケーション内の一般的な「ＳｈｏｐＬｉｖｅ」モールによって提供されるサービス及び機能を説明するものである。「ＳｈｏｐＬｉｖｅ」モールは、セッション・ゲートウェイ・フレームワーク構成要素を通じて「ＳｈｏｐＬｉｖｅ」商店主及び買物客と対話する。モールが利用可能な一般的なサービス又は機能は、商店主ディレクトリ情報にアクセスして条款を提供するための「ＳｈｏｐＬｉｖｅ」検索エンジンへのアクセス、及び、特定モール用マーケティング及びトラフィック情報報告書にアクセスし、モール管理システム内のモール及び商店主管理機能リファレンスにアクセスするためのモールアシスタントによるＳＬＡ機能へのアクセスであり、これについては、図２２を参照されたい。
【００４８】
「ＳｈｏｐＬｉｖｅ・商店主」２０６機能領域は、「ＳｈｏｐＬｉｖｅ」アプリケーションを通じて一般的な「ＳｈｏｐＬｉｖｅ・商店主」によって提供されるサービス及び機能を説明するものである。商店主は、彼等のビデオ買物客との対話のために、より大きな機能及びサービスの集合を提供する。商店主は、セッション・ゲートウェイ・フレームワークを通じて、「ＳｈｏｐＬｉｖｅ・アシスタント」、「ＳｈｏｐＬｉｖｅ・インターネット」、「ＳｈｏｐＬｉｖｅ・モール」、及び、ビデオ買物客と通信する。商店主が利用可能な一般的なサービス又は機能は、「ＳｈｏｐＬｉｖｅ」検索エンジンへのアクセス、カタログ管理サービス、在庫管理サービス、生のビデオショッピング機能、カタログ事務管理サービス、ビデオカタログ事務管理サービス、トラフィック及びマーケティング報告書、営業報告書、顧客注文事務管理機能、及び、生セッション中に買物客プロフィール及び癖を問い合せる、買物ミッションを問い合せる、買物客に連絡する（訪問予約管理及びカレンダ機能）、及び、外部商店主システムへのアクセスを提供する（ＸＭＬ又は特注インタフェースを通じて）能力である。これらの機能をサポートする構成要素について以下に説明する。
【００４９】
「ＳｈｏｐＬｉｖｅ・ビデオ」は、リアルタイムの対話型ビデオ買物体験を提供し、また、登録「ＳｈｏｐＬｉｖｅ」買物客と「ＳｈｏｐＬｉｖｅ」商店主又はＳＬＡとの間の対話を提供する。主として、ビデオ可能な対話は、買物客と商店主との間で行われる。また、アプリケーションは、買物体験中の生音声によるチャット及びテキストによる対話式チャットに適合する。インターネットを使用して、買物客は、インターネット及び「ＳｈｏｐＬｉｖｅ」ビデオ技術を使用する生の販売員と対話することができる。また、この構成要素は、グループショッピング又は生のビデオセミナーに対応するためにビデオ会議処理をサポートする。「ＳｈｏｐＬｉｖｅ」のビデオ会議のシナリオにおいては、このアプリケーションは、閲覧者グループが「ＳｈｏｐＬｉｖｅ」商店主又は「ＳｈｏｐＬｉｖｅ・アシスタント」から送られる同一ビデオ放送（生放送）を見る能力を提供する。買物客は、事実上、店内ビデオステーションからの生放送を見ているわけである。
【００５０】
買物ミッションは、予め入力された目的又はミッション判定基準を使用して、買物ミッションが円滑に進むように測定可能パラメータを設定する。買物ミッションパラメータは、「ＳｈｏｐＬｉｖｅ」商店主によって対話式にアクセスされ（買物セッション中に）、買物及び販売体験を高めるために使用される。
「買物客プロフィール」は、買物客を登録し、登録された買物客に対して買物体験を円滑化するために「ＳｈｏｐＬｉｖｅ」によって使用される買物客プロフィールを定義する。買物客プロフィールには、好み、買物履歴、及び、他の消費者挙動データが収められている。「ＳｈｏｐＬｉｖｅ」商店主は、買物セッション中に対話式に買物客プロフィール情報にアクセスし、買物客の好みを判断して彼らが顧客により良く仕えることを可能にする。
【００５１】
「ＳｈｏｐＬｉｖｅ支援買物」アプリケーションは、買物客が自分の買物ミッションを手助けするＳＬＡと対話する能力を提供する。ＳＬＡは、買物客のために製品及び商店主の検索を行ない、質問に答え、買物客をビデオ商店主と接続し、必要に応じてミッション定義及び他のセッション機能について手助けすることができる。ＳＬＡは、ビデオ買物客の個人的な買物エージェントの役目をする。
「ＳｈｏｐＬｉｖｅ」買物カートは、買物客が共通の買物カートに多数の商店主からの品目を記憶することを可能にする。この構成要素によって、買物客は、各小売商まで足を運ばずに多数の小売商又は所在位置から品目を購入することができる。買物カートは、購入ゲートウェイと密に一体化している。
【００５２】
購入ゲートウェイアプリケーションは、買物客が共通の「ＳｈｏｐＬｉｖｅ」買物カートを使用して様々な商店主から品目を選択及び購入する能力を提供する。「ＳｈｏｐＬｉｖｅ」カートによって、買物客は、「ＳｈｏｐＬｉｖｅ」買物カートから（ミッション中に以前に選択した）製品を買うことができる。購入ゲートウェイは、クレジットカードを通じての商店在庫照会により購入取引を管理する。このゲートウェイは、販売取引及び商店主への通知を処理する。
【００５３】
「取引ゲートウェイ」（買物セッション）は、買物客がキオスクを通じてインターネットで、又は、「クリエーションズ」タッチパッドと対話することにより「ＳｈｏｐＬｉｖｅ」取引ゲートウェイを申し込む時に作成される。「ＳｈｏｐＬｉｖｅ」アプリケーションは、その特定の買物客のために独自の買物セッションを作成する。このセッションは、取引ゲートウェイの役目をし、それを通して買物客が買物体験を完了する。
【００５４】
上述の機能は、以下の構成要素によってサポートされる。
「セッション・ゲートウェイ・フレームワーク」アプリケーションは、「ＳｈｏｐＬｉｖｅ」アプリケーション構成要素と、このアプリケーションを使用する商店主との間で情報を交換するための共通のゲートウェイを使用する。「セッションゲートウェイ」は、モール又は商店主レベルと、「ＳｈｏｐＬｉｖｅ」サーバで実行されている「ＳｈｏｐＬｉｖｅ」取引ゲートウェイ（買物セッション）とで作動している構成要素間の相互作用をサポートする。
【００５５】
検索エンジンアプリケーションは、買物客又はＳＬＡが「ＳｈｏｐＬｉｖｅ」検索エンジンを通じてモール、店舗、又は、製品を検索する能力を提供する。検索エンジンは、その情報を得るために「ＳｈｏｐＬｉｖｅ」内部及び外部データベースの両方にアクセスする。
カタログアクセス・アプリケーションは、買物客のために小売商及びチェーン店レベルの両方でのカタログ情報へのアクセスを提供する。このアプリケーションは、買物客のためにカタログデータに直接アクセスし、又は、外部データベース（「カタログＡＰＩ」）に記憶されたカタログ情報への共通のインタフェースを提供する。この構成要素は、カタログの内容を必要に応じてテキスト、画像、又は、ビデオ映像としてサポートする。
【００５６】
在庫アクセスアプリケーションは、店舗位置レベルでカタログ在庫の有無を問い合せる能力を提供する。「ＳｈｏｐＬｉｖｅ」アプリケーションによって管理される在庫は、外部在庫システムデータが共通のインタフェースを通じて供給されている間は、即時にアクセス可能である。在庫データを交換する方法は、「ＳｈｏｐＬｉｖｅ」アプリケーション内の参加者（「在庫ＡＰＩ」及びＸＭＬ書式）によってそれを文書化し、サポートすることである。
【００５７】
「購入履行」アプリケーションは、「ＳｈｏｐＬｉｖｅ」買物客のために購入品を確認し、買物サイクルを完了し、買物客の好みに基づいて集荷、発送、及び、取り扱いを含む注文調達を処理する能力を提供する。購入履行は、外部購入履行アプリケーションとのインタフェースを通じて、又は、その処理のための商店主のアプリケーションとのインタフェースを通じて「ＳｈｏｐＬｉｖｅ」内で処理されてもよい。
【００５８】
マーケティング報告書及び買物客プロフィール処理アプリケーションは、買物客プロフィール情報を登録商店主又はプロフィール情報を必要とする売り手に提供する。商店主及びモールによるデータマイニング実行のために、また、市場分析報告書のために、人口統計学的グループによる傾向分析報告書が利用可能である。商店主及びモールは、「ＳｈｏｐＬｉｖｅ」報告書作成機能を使用して報告書にアクセス及び印刷することができる。
【００５９】
消費者購入データの「データマイニング」（消費者のプライバシーに関する規制を受ける）は、統計上の目的及び他のデータマイニングを実行するのに利用可能である。
モール又は買物客レベルでのロイヤルティープログラム・アプリケーションは、ロイヤルティープログラムとのインタフェースとして働き、登録番号を通じて「ＳｈｏｐＬｉｖｅ」買物客を識別する。ロイヤルティープログラム・アプリケーションは、「ＳｈｏｐＬｉｖｅ」実装アプリケーション又は外部アプリケーションとしてもよい。
【００６０】
図３を参照すると、「ＳｈｏｐＬｉｖｅ」ビデオ構成要素３００は、ビデオ機能、並びにビデオセッションをサポートする機能のサポートソフトウエア構成要素を提供する本明細書内で「ＳｈｏｐＬｉｖｅ・ブラウザ」と呼ばれるダウンロード可能Ｊａｖａ（登録商標）プラグインを含む。インターネットを使用して、買物客は、インターネット及び「ＳｈｏｐＬｉｖｅ」ビデオ技術を使用する生の販売員と対話することができる。この構成要素はまた、グループショッピング又は生ビデオセミナーに対応するためにビデオ会議処理をサポートする。
【００６１】
この「ＳｈｏｐＬｉｖｅ・ブラウザ」は、「ＳｈｏｐＬｉｖｅ」に対して、リアルタイムの対話型ビデオ買物体験を提供し、登録「ＳｈｏｐＬｉｖｅ」買物客と「ＳｈｏｐＬｉｖｅ」商店主又はＳＬＡとの間の対話を提供する能力を与える。「ＳｈｏｐＬｉｖｅ・ブラウザ」は、買物客、ＳＬＡ、及び、ビデオ可能商店主との間の生ビデオセッションをサポートする。ビデオ可能な対話は、買物客と商店主との間で行われるが、アプリケーションはまた、買物体験中に生音声によるチャット及び対話式のテキストによるチャットを受け入れる。
【００６２】
ビデオセッション起動３０２は、ビデオセッションを初期化してシステムファイルのセットアップを完了する内部処理である。この機能が管理するタスクには、「ＳｈｏｐＬｉｖｅ」ブラウザの位置及びバージョンの確認、システムデータの確認、「ＳｈｏｐＬｉｖｅ」ブラウザのダウンロードの開始、セッションパラメータの確立、セッションイベントを通じたアクティブ買物セッションとの通信が含まれる。
【００６３】
ビデオセッション切断３０４は、ビデオセッションの自動閉鎖を管理する。この機能は接続をモニタし、終了した状態であらゆる一時的ファイル及びシステムメモリを片付け、ビデオステーション活動表を更新する。この機能は、自動的にビデオステーションＩＰアドレスをピング（ｐｉｎｇ）して接続状態をモニタする。その間隔は、システムパラメータを通じて管理される。
ビデオステーション維持３０８は、システム管理者が、ビデオステーションを登録し、ビデオステーションデータＩＰアドレスと機器の位置及び種類とを管理し、ビデオステーションを店頭及び商店主と関連付けることを可能にする。
【００６４】
ビデオステーション検索３０８は、買物客が、アクティブビデオステーションと、それらに付随する「ＳｈｏｐＬｉｖｅ」商店主ディレクトリ内の商店主とを検索することを可能にする。
ビデオカメラ操作機能３１０は、買物客にインターネットを通じてビデオステーションカメラを操作する能力を提供する。このＡＰＩ制御を通じて、買物客は、垂直又は水平制御を使用し、パン撮り、チルト、及び、ズーム能力を駆使することができる。ビデオステーションは、バーコード読取装置及び同様の製品識別装置を使用して、それらが見ている製品コード又は製品ＳＫＵを判定する能力を有する。代替的に、ビデオ買物セッション中の製品選択は、買物客又は商店主のいずれかからでもよい。
【００６５】
「ビデオステーション・ログイン」３１２は、ＳＬＡ又はビデオ商店主が、個々のビデオステーションにログインして「ＳｈｏｐＬｉｖｅ」アプリケーションとの接続を起動することを可能にする。ビデオステーションは、ビデオステーションが切断された時の非アクティブ、及び、ビデオステーションにおけるエージェントのログインによってトリガされるアクティブ状態という２つの状態を有する。ネットワークに接続された状態で、ビデオステーションは、ウェブカメラ画像を放送する。
【００６６】
ビデオセッション維持３１４は、「ＳｈｏｐＬｉｖｅ」システム管理者が、制御を目的としてアクティブビデオセッションをモニタすることを可能にする。この機能は、送信の監視のため、又は、新しいＳＬＡエージェントのトレーニング用として使用される。また、この機能は、新スタッフの顧客サービスのトレーニングを支援するために商店主まで拡大適用される。
「ビデオセッション転送」３１６は、買物客をビデオ商店主セッションに転送するためにＳＬＡによって使用される。転送は、システム通知を通して自動化される。
【００６７】
ビデオ会議管理３１８は、ビデオ会議セッションのサポートを含む、ビデオ放送及び情報コマーシャルのスケジューリング及び配信のサポートを提供する。「ＳｈｏｐＬｉｖｅ」ビデオ会議中、このアプリケーションは、閲覧者グループに対して「ＳｈｏｐＬｉｖｅ」商店主又は「ＳｈｏｐＬｉｖｅ・アシスタント」から生で送られる同じビデオ放送を見ることができる能力を提供する。買物客は、事実上、店内ビデオステーションからの生放送を見ているわけである。この機能は、商店主がビデオ会議を日程計画し、会議登録を管理し、ビデオ会議通知を管理し、システム通知を通して登録者へ警告を出し、セッション放送を管理することを可能にする。
ＳＬＡエージェントは、新規買物客のためのトレーニングセッションを供給するため、又は、「対買物客関係」上の問題に対処するために、ビデオ会議能力を使用することができる。
【００６８】
図３の上述のシステムを操作するための「ＳｈｏｐＬｉｖｅ」ビデオ規則は、以下の機能を実行するためにソフトウエアに符号化されている。
１．全てのビデオステーションカメラは、多数の買物客が見ることに対応するため、デフォルトによりビデオ会議モードである。
２．買物客は、彼等の商店主とのビデオセッションが私用又は公用であったかを判断する。
３．使用中のカメラは、私用ビデオセッション中は使用中と示す。
４．ビデオセッションのスケジューリングは、システム通知処理を通じて処理され、待機中の買物客には、自動的に待ち時間が知らされる。
５．最初の買物客は、ビデオカメラを操作することができる。他の参加者は、見ることはできるがカメラ操作の邪魔はしない。
３２０内の通知待ち行列表の「モールＡＮＱ通知」、「商店主通知待ち行列（ＭＮＱ）」、及び、「個人的通知待ち行列（ＰＮＱ）」は、セッションパラメータの制御と参加者間のビデオセッションの円滑な転送とのために、「ＳｈｏｐＬｉｖｅ」ビデオ処理中に広く使用される。
６．商店主は、セッション中にカメラを制御することができ、また、ビデオステーション・ワークステーションからカメラ制御をロックすることができる。
【００６９】
各「ＳｈｏｐＬｉｖｅ」構成要素は、「ＳｈｏｐＬｉｖｅ」アプリケーション内の多くの表にアクセスする。これらの図式は、アプリケーション構成要素機能によってアクセスされる表又は表分類の一部のみを表示し、収集又はアクセスされた情報の性質を説明する。詳細な説明は、図式に示されたものを処理する機能を明確にするためにのみ与えられる。「モール」、「商店主」、及び、「ビデオステーション」に対する３２０内のレジストリ表は、「ＳｈｏｐＬｉｖｅ」を有するアクティブ参加者を追跡するためにアプリケーションによって使用される。検索エンジンは、通常の買物セッション中にこれらの表を使用して、買物客、商店主、及び、ＳＬＡのためにモール、商店主、及び、アクティブビデオステーションを捜し出す。「ＳｈｏｐＬｉｖｅ」内で「ＳｈｏｐＬｉｖｅ」管理者によって新規商店主又はビデオステーションが追加又は更新された時、これらの表は、アプリケーション構成要素によって使用されるようにリアルタイムで更新される。図４を参照すると、「買物ミッション」４００は、買物客又はＳＬＡに対して、買物ミッションを予め定義し、登録時に買物客によって決められ買物客プロフィールに記憶された予め入力された目的又はミッション判定基準を使用して買物ミッションを円滑に進める測定可能パラメータを設定する能力を提供する。買物客プロフィールは、アクティブ買物ミッションに基づいて更新することができ、このアクティブ買物ミッションは、買物客が比較して、将来の使用のために保存するミッションとして記憶することができる。買物客プロフィールを定義し、アクティブ買物ミッション及び保存ミッションを作成するこの対話式処理は、買物客の買物及び購入挙動に関する挙動データを買物客及び小売商の両方に提供する。
【００７０】
「買物ミッション」機能は、多数のアプリケーション表にアクセスするが、主として、処理用の買物客プロフィール及び買物ミッションデータに集中する。この意味での買物客プロフィール４３０は、「ＳｈｏｐＬｉｖｅ」が各個別の買物客を説明するために維持する表を集めたものである。買物客プロフィールデータは、様々な機能によって読み取られて更新され、新規ミッションの作成、買物客の好みの判定、新規ミッションの作成又は既存ミッションの改善に使用される買物客履歴及び買物客プロフィールデータへのアクセスに使用される。アクティブミッションは、買物客が新しい「ＳｈｏｐＬｉｖｅ」セッションを開始する度に作成され、既存の買物客プロフィール及びミッションデータを使用して構築される。ミッションが完了すると、それは、プロフィール処理を目的とした買物客又はシステムによる将来の使用のために記憶される。
【００７１】
買物ミッションパラメータは、「ＳｈｏｐＬｉｖｅ」商店主（買物セッション中）又は「ＳｈｏｐＬｉｖｅ」ＳＬＡによって対話式にアクセスされ、買物及び販売体験を高めるために使用することができる。
買物セッションは、買物客が「ＳｈｏｐＬｉｖｅ」セッションに申し込んだ時に自動的に作成される。買物客が自分の買物セッションを作成するか、又は、過去に定義した買物ミッションを使用するように決める場合、システムが作成した買物ミッションは上書きされる。「ＳｈｏｐＬｉｖｅ」システムは、買物客の買物体験を簡素化して円滑に進めるために、検索及び商店主による対話中に広範囲に買物ミッションを利用する。
【００７２】
買物ミッション図４００は、「買物ミッション」情報の管理に使用されるアプリケーション機能の図式による概要である。これらの機能について以下に説明する。
買物客ログイン４０２は、登録「ＳｈｏｐＬｉｖｅ」買物客の申し込み処理を管理する。未登録買物客は、匿名の買物客として買物をすることができるか、又は、登録する機会が与えられる。この機能は、買物客が入力したＩＤ、氏名、及び、電子メールアドレスを登録買物客データベースに照らして確認する。この登録はまた、「ＳｈｏｐＬｉｖｅ」ビデオブラウザ・プラグインの登録バージョンが現行バージョンであるか判定するのに使用される。セッション開始４０４は、「ＳｈｏｐＬｉｖｅ」買物セッションの作成、買物客の好みのロード、買物カートなどのシステムファイルの作成、個人的通知待ち行列（ＰＮＱ）のロード、及び、「ＳｈｏｐＬｉｖｅ」主データベースとの連絡の確立を管理する。これらの処理は、現在の通知と共に「ＳｈｏｐＬｉｖｅ」セッションが買物客端末上に表示されている時に背景で行われる。新ミッション作成４０６機能は、買物客が買物セッションを開始した時に自動的に買物客に対して新規又はアクティブ買物ミッションを作成する。それは、銘柄及び店舗の好みを含む重要買物客データを用いてアクティブ買物ミッションを更新する。
【００７３】
買物ミッション定義４０８は、買物客が自分自身の判定基準に基づいて買物ミッションを定義することを可能にする。判定基準には、データ入力時間を少なくすることができる場所には買物客の銘柄及び店舗の好みが予め記入されている。買物客は、過去に入力した贈答品レジストリ及び特別行事情報をプロフィールから引き出して所要のフィールドを完了することができる。
ミッション更新４１０は、買物客が追加の判定基準又はパラメータでアクティブ買物ミッションを更新することを可能にする。買物ミッションは、買物セッション中はいつでも買物客の「ＳｈｏｐＬｉｖｅ」メニューを使用して更新することができる。
【００７４】
過去ミッション閲覧４１２は、ミッションの簡単な説明と共にその買物客に関して定義されたアクティブ買物ミッションリストを表示する。買物客は、彼等の「ＳｈｏｐＬｉｖｅ」ポートフォリオに記憶した買物ミッションのどれでも見ることができる。
過去ミッション呼び戻し４１４は、買物客が過去に記憶したミッションを選択し、そのミッションを使用して買物を再開することを可能にする。
買物客ミッション更新４１６は、ＳＬＡが買物客に対するビデオセッション中に買物客ミッションを閲覧及び更新することを可能にする。この機能は、ＳＬＡが買物客を手助けするように要請され、ビデオセッションが確立された状態でＳＬＡが利用することができる。
【００７５】
図４の上述のシステムを操作するための買物客ミッション業務規則は、以下の機能を実行するためにソフトウエアに符号化されている。
「検索ＡＰＩ」は、「買物客ミッション」にアクセスして検索の手助けをする。買物客がカタログ検索機能を選択すると、検索ＡＰＩは、アクティブ買物客ミッションにアクセスして検索書式にミッションからのデータを予め記入する。
買物ミッションは、買物客が店舗間を移動する時に買物客と共に移動するので、買物客が説明する必要なしに商店主に買物客の買物の目的を判断させる。商店主は、買物ミッションを閲覧し、買物客が「ＳｈｏｐＬｉｖｅ」を通じて店に入った時に彼らを識別することができる。商店主は、買物体験を独自のものにして、より高いレベルのサービスを提供することができる。
買物ミッションは、「ＳｈｏｐＬｉｖｅ」内の各買物客に対して作成される。飛び込み買物客については、このミッションは、主としてセッション後の評価時に傾向分析のために使用される。このミッションは、買物セッション中、又は、セッション終了時に、「クリエーションズ」買物アシスタントにより、買物客がどの店頭に訪問したかを判定するために閲覧されてもよい。
【００７６】
図５を参照すると、「ＳｈｏｐＬｉｖｅ」は、買物客を登録し、後で「ＳｈｏｐＬｉｖｅ」が使用して登録買物客の買物体験を円滑化することができる買物客プロフィールを定義する能力をもたらす。買物客プロフィール５２２は、店舗の好み、買物履歴、及び、他の消費者挙動データを含む買物客情報の中心的で確実なレジストリの役目をする。「ＳｈｏｐＬｉｖｅ」商店主は、買物セッション中に対話式に買物客プロフィール情報の特定の部分にアクセスして買物客の好みを判定することができ、買物客により良く仕えることができる。
【００７７】
各買物客のデータは、進行中の「ＳｈｏｐＬｉｖｅ」アプリケーション内での買物客の対話を通じて、初期登録処理中に収集されて買物客プロフィールに記憶される。追加の挙動情報は、買物セッション中に収集され、買物客プロフィールに追加される。データは、収集を目的として機能領域に分けられる。このような意味での買物客プロフィール５２２は、各個別の買物客を説明するために「ＳｈｏｐＬｉｖｅ」が維持する種々の表を集めたものである。買物客プロフィールデータは、様々な機能によって読み取られて更新され、新しいミッションの作成、買物客の好みの判定、新しいミッションを作成したり又は既存のミッションを改善するために使用される買物客履歴及び買物客プロフィールデータへのアクセスに使用される。「ＳｈｏｐＬｉｖｅ」は、外部消費者データにアクセスして買物客プロフィールデータを増大させる。収集されて「ＳｈｏｐＬｉｖｅ」に組み込まれるデータの種類には、買物客信用度、消費者の人工統計学的挙動、購入データ、及び、他の関連買物客データが含まれる。買物客ファイル５００を管理するサブシステムは、次の機能構成要素から成り、これらの機能構成要素について以下に説明する。
【００７８】
初期登録５０２は、人工統計学的な初期買物客情報を記録し、各買物客に独自のＩＤ番号を割り当て、並びに、買物客の電子メールアドレスを通してのアクセスを提供する。関連データは、買物客登録中に捕捉される。この機能によって、買物客は、その後のセッション中に必要に応じてパスワード及び情報を変更することができる。
買物客は、買物セッション中に「ＳｈｏｐＬｉｖｅ」買物客として識別するトークン、カード、又は、独自のタグが割り当てられる。トークンは、買物客の買物セッション中に、キオスク又はタブレットにおいて、買物客を識別するために「ＳｈｏｐＬｉｖｅ」アプリケーションによって使用される。
【００７９】
アドレス及び発送データ更新機能５０４は、アプリケーションによって買物客アドレス及び発送好み情報の記録及び更新に使用される。買物客は、現在又はその後のセッション中にいつでも情報を更新することができる。アドレス情報は、購入及び発送処理中に使用され、取引完了のために買物客が入力する必要がある情報量を低減する。
銘柄好み更新機能５０６は、買物客が製品カテゴリーによって銘柄及び店舗の好みを登録及び更新することを可能にする。買物ミッション及び検索エンジンは、検索結果における買物客の優先銘柄又は商店主を戻すことによって検索処理を円滑化するために銘柄好み情報を利用する。
【００８０】
クレジットカード及び財務情報管理機能５０８は、買物客が買物セッション中に使用するためのクレジットカード及び他の財務情報を記録することを可能にする。このデータは、安全性を確保するために安全なサーバ上で暗号化して記憶される。本システムは、買物客の購入を追跡し、特定のクレジットカードに対する「ＳｈｏｐＬｉｖｅ」購入を詳説した買物客に関する財務報告書を提供する。
データ暗号化サービス５１０は、「ＳｈｏｐＬｉｖｅ」の安全財務サーバ上に記憶された財務情報の暗号化及び暗号解読を担う。全ての購入取引及び買物客財務データへのあらゆるアクセスは、このゲートウェイを通じて行われる。
【００８１】
買物客人口統計学的情報更新及び要約モジュール５１２は、買物客が「ＳｈｏｐＬｉｖｅ」アプリケーション内に維持されている個人的人口統計学的情報の追加又は変更を行うことを可能にする。また、このモジュールは、「ＳｈｏｐＬｉｖｅ」環境内での購入及び来店履歴を含む「ＳｈｏｐＬｉｖｅ」活動の要約を維持する。このデータは、報告書作成を目的として閲覧又は使用することができる。
家族グループデータ更新５１４は、買物客に対して、様々な買物グループを維持し、又は、その会員になる能力を提供する。この機能を通じて、買物客は、彼等のグループ及びグループ関係を管理することができる。通常、買物客は、このモジュールを使用して、彼等の家族会員と、氏名、生年月日、及び、続柄などの家族会員の重要情報を識別することができる。これらの会員に関して、追加データを贈答品レジストリモジュール内で定義することができる。
【００８２】
希望リスト及び贈答品レジストリ更新モジュール５１６は、買物客が希望リスト又は様々な贈答品レジストリを維持することを可能にする。このサブシステム内では、次の機能が利用可能である。すなわち、本人又は家族グループ会員用希望リストの維持管理、希望リストからの項目の追加、更新、又は削除、自分の家族グループ内の他の「ＳｈｏｐＬｉｖｅ」会員への希望リストの送付、結婚式又は特別祝日用の贈答品レジストリの作成及び維持、所有する贈答品レジストリからの項目の追加、更新、又は削除、及び、電子メールによる他の「ＳｈｏｐＬｉｖｅ」会員との贈答品レジストリリストの共有である。
【００８３】
特別日時及びカレンダ更新機能５１８は、買物客が特別行事のリマインダーと共に個人的カレンダー内に特別日時を記録することを可能にする。買物客は、日付の記録、リマインダーの設定、及び、「個人的通知」システムを通してこれらの日付の自分向けの自動通知を行うことができる。
個人フォルダ管理機能５２０は、買物客が「ＳｈｏｐＬｉｖｅ」にログインしている時はいつでも自分の個人フォルダ情報を閲覧及び維持することを可能にする。個人フォルダは、買物客が自分にとって興味深い製品及び商店主のリストを維持することができる便利なノートを提供する（ブックマーク）。買物客は、買物セッション中はいつでも、自分の個人フォルダに対して品目の検討、更新、又は、除去を行うことができる。また、フォルダによって、買物客は、各品目のメモを個人フォルダ内に維持することができる。
【００８４】
図６を参照すると、「ＳｈｏｐＬｉｖｅ」支援買物アプリケーション６００は、買物客に対して、買物客が買物ミッションを済ませるのを手助けするＳＬＡと対話する能力を提供する。ＳＬＡは、買物客のために、製品及び商店主の検索、質問への回答、買物客のビデオ商店主との接続、及び、必要に応じてミッション定義及び他のセッション機能の手助けを行うことができる。ＳＬＡは、ビデオ買物客の個人的買物エージェントの役目をする。
【００８５】
「ＳｈｏｐＬｉｖｅ」エージェント連絡機能６０２は、買物客又は商店主が個人的な手助けを受けるためにＳＬＡと連絡することを可能にする。この機能は、次に利用可能なＳＬＡに経路指定されるシステム通知要請ＳＮＱを自動的に作成する。
通知６１６及びＳＮＱ６０８処理機能は、他のシステムユーザから「ＳｈｏｐＬｉｖｅ」ユーザへの通知メッセージのマッチング及び配信を管理する。通知は、自動的に一連の通知待ち行列を通じて受信者に経路指定される。ある通知は、メッセージをもたらし、他のものは、アクティブ買物セッションによる行動を自動的にトリガする。
【００８６】
「ＳｈｏｐＬｉｖｅ・アシスタント」は、買物客のために、買物客プロフィール、商店主ディレクトリ、及び、商店主カタログにアクセスすることができ、買物客の買物ミッションを手助けする。このような意味での表６３０は、各個別の買物客をサポートするためにＳＬＡがアクセスする表を集めたものである。「買物客プロフィール」データは、買物客の好みを判定し、新しいミッションの作成又は更新や既存ミッションの改善に使用される買物客履歴及び買物客プロフィールデータにアクセスするために、買物ミッション中に様々な機能によって読み取られる。
【００８７】
「ＳｈｏｐＬｉｖｅ」セッション６１２は、買物客と商店主又はＳＬＡのいずれかとの間の音声及び映像の伝送を管理する。
買物客検索管理機能６２６は、買物客のために検索を行うことができるＳＬＡに対して検索能力を与える。検索結果は、表示及びナビゲーションのために買物セッションにプッシュすることができる。ＳＬＡはまた、商店主ＵＲＬ又は製品結果を買物客のアクティブセッションにプッシュすることができる。
【００８８】
買物ミッション更新６２８は、ＳＬＡが買物客のために買物客ミッションを管理する能力を提供する。買物ミッションは、買物客に対して自動的に作成され、彼等の買物セッション中に買物客と共に移動する。このミッションは、買物セッションを円滑化し、製品検索を円滑化し、買物客の目的に関する情報を商店主又はＳＬＡに提供するために、「ＳｈｏｐＬｉｖｅ」アプリケーションによって利用される。
【００８９】
買物客プロフィール問合せ機能６３２は、ＳＬＡがより良く買物客を手助けするために買物客プロフィールに問い合せることを可能にする。ＳＬＡは、重要な買物客の好み及びプロフィールデータを使用して買物客のミッションを構築することができる。
買物セッション検討機能６２４は、ＳＬＡが買物客の買物セッションイベント記録を検討して、現在のセッション中に買物客がどのような活動に参加したか判断することを可能にする。この情報を用いて、ＳＬＡは、より良く買物客を手助けすることができる。
【００９０】
商店主連絡機能６２２は、ＳＬＡが買物客のために商店主と連絡し、買物客の質問に対する答えを判断し、買物客のために来店約束を準備することを可能にする。
ビデオセッション転送６３４は、ＳＬＡが買物客ビデオセッションをビデオ商店主に転送することを可能にする。この転送は、ＳＮＱを通じて開始され、ビデオブラウザ・プラグイン・メッセージング機能に組み込まれている。
【００９１】
図７を参照すると、通知処理機能７００は、ファイル７３０内のＳＮＱ、ＡＮＧ、ＰＮＱ、及び、ＭＮＱデータを、ＳＬＡ連絡機能６０２、商店主連絡機能６２２、及び、ビデオセッション転送機能６３４を含む多数の入力から収集する。この内部「ＳｈｏｐＬｉｖｅ」機能７００は、他のシステムユーザ又はシステム処理から「ＳｈｏｐＬｉｖｅ」ユーザへの通知メッセージのマッチング及び配信を管理する。各通知メッセージは、組み込まれた送信者及び受信者情報、並びに通知詳細を含む。内部処理６１６は、メッセージを処理し、それを組み込まれたアドレスデータに基づいて適正な受信者に転送する。通知処理ソフトウエアの多数の事例は、同時に実行される。受信者には、買物客ポータル１００、ＳＬＡゲートウェイ１０２、及び、商店主ゲートウェイ１０６が含まれる。買物客ポータル１００は、「ＳｈｏｐＬｉｖｅ」ビデオセッション６１２を開始し、買物客及び商店主を通信状態にするために、ＳＬＡゲートウェイ１０２と商店主ゲートウェイ１０６とを接続する。
通知は、一連の通知待ち行列を通じて意図する受信者に自動的に経路指定される。ある通知は、ユーザメッセージをもたらし、他のものは、アクティブ買物セッションによる行動を自動的にトリガする。
【００９２】
図８を参照すると、「ＳｈｏｐＬｉｖｅ」買物カート８００は、買物客の便宜を図るために、全世界的買物カートの概念をサポートする。それは、買物客が、商店主サイトから出る時に各商店主位置で購入することを必要とせずに、多数の小売商又は位置において品目を購入することを可能にする。買物カートは、購入ゲートウェイと密に一体化している。買物客は、買物セッション中にいつでも購入を開始することができるという更なる利便性を有する。
【００９３】
「ＳｈｏｐＬｉｖｅ」買物カートは、買物客が購入したいと思っている品目（製品又はサービス）を集めたものである。このような意味で８３０は、商店主カタログ又は買物客自身の個人フォルダから選択された、買物客が買物カートに追加するように選んだデータを表す。各買物カートの活動は、アクティブ買物ミッションに記録される。この機能を通じて、買物客はまた、自分の個人フォルダに商店主プロフィールを含む項目を記憶することができる。
【００９４】
「ＳｈｏｐＬｉｖｅ」アプリケーションは、各買物セッション中に各買物客のアクティブ買物カートのコピーを維持する。買物客が停電又は他の出来事のために「ＳｈｏｐＬｉｖｅ」アプリケーションとの接続が切られた場合、現在の買物カートが回復のために記憶される。買物客は、その後のログイン時に、買物客が前回の買物カートの事例でショッピングを再開することを望むか否かを尋ねられる。
買物カート作成機能８０２は、自動的に買物客のために買物カートの事例を作成する。この機能は、買物客が登録買物客として又は匿名の買物客として「ＳｈｏｐＬｉｖｅ」アプリケーションにログインした結果としてセッションが起動された時にトリガされる。
【００９５】
買物カート再構築機能８０４は、最後のセッションからの買物客の買物カートの再構築を管理する。買物カート／買物セッションの再構築を管理するために、「ＳｈｏｐＬｉｖｅ」は、最終セッションＩＤ、並びにセッション状態フラグを保持する買物客プロフィール内のフィールドにアクセスする。買物客がその処理にログインした時、「ＳｈｏｐＬｉｖｅ」は、これらの値を検索して、最終セッションを再開したいか（適正に完了されなかった場合）、又は、買物カートの最終事例で買物を再開したいかを買物客に尋ねる。買物客の応答に基づいて、この機能は、セッションＩＤを使用して、正しいセッション記録を得て買物カートの最終事例を再構築することができる。
【００９６】
買物カート製品追加機能８０６は、買物客が買物カートに製品を追加することを可能にする。この処理は、買物セッションカタログ又は検索結果から強調表示された製品を追加し、この情報をアクティブ買物カートに追加する。
商店主製品受領／拒絶機能８０８は、買物客がビデオ買物セッション中に商店主が買物客にプッシュした製品を追加又は辞退することを可能にする。買物客は、この処理を制御して商店主による潜在的な悪用を回避することができる。
カート内製品閲覧機能８１０は、買物客が買物セッション中に買物カートに記憶した製品を閲覧することを可能にする。
【００９７】
個人フォルダ内製品追加機能８１２は、買物客が、自分の個人フォルダに以前に記憶した製品を買物カートに移すことを可能にする。更に、買物客はまた、その後の使用のために買物カート内の製品を個人フォルダに記憶してもよい。
買物客への製品プッシュ８１４は、ビデオセッション中に買物客に品目をプッシュするために商店主によって使用される。製品詳細は、買物客の端末に表示されるので、買物客は、希望する場合にはその製品をカートに追加するように選ぶことができる。
カート内製品削除機能８１６は、買物客が製品を買物カートから削除又は落とすことを可能にする。買物客は、削除したいと思う製品をチェックし、次に、その製品が買物カートから取り除かれる。
【００９８】
「クリエーションズ」の実行において、買物カート業務規則では、各買物客は、買物セッション中に個人的買物カートにアクセスできることが規定されている。「クリエーションズ」買物客は、小売店場所全体に亘ってそのトークンを通じて位置するクリエーションズ・キオスク又はタブレットを通じて買物カートにアクセスする。機能のいずれに対しても買物カートの内容を制御するように完全なアクセスが用意されている。固定されたサイトへの飛び込み買物客は、特定の所有地内で利用可能な商店主及び製品選択に制限される。
【００９９】
図９を参照すると、「購入ゲートウェイ」９００は、買物客が買物カートから選択した製品に関して、買物客によって開始された購入取引を管理するサブシステムである。購入ゲートウェイは、クレジットカード処理を通じて商店主在庫問合せからの購入取引を管理する。また、このゲートウェイは、販売が完了すると、販売取引及び商店主への購入通知を処理する。
買物客のために購入取引を処理する代替方法がある。ビジネスモデル＃１において、「ＳｈｏｐＬｉｖｅ」は、商店主から買物客の代わりに品目を購入する（買物客は、買物客のためのコンソリデータの役目をする「ＳｈｏｐＬｉｖｅ」に支払う）。ビジネスモデル＃２において、買物客は、「ＳｈｏｐＬｉｖｅ」を通じて商店主から直接購入する。後者の場合においては、「ＳｈｏｐＬｉｖｅ」は、各商店主向けの注文を一元管理して購入を容易にする。
【０１００】
購入ゲートウェイは、買物客がアクティブ買物セッション中に訪れた様々な商店主から選択した品目（製品及びサービス）に関して、購入完了のために買物客が必要とする情報の全てにアクセスする。このような意味でのファイル９３０は、購入完了に必要とされるデータを表す。
店舗インボイス処理９０４機能は、クレジットカード処理のために、製品を商店主グループに編集する。この機能は、商店主及び店舗別に品目名を小計し、適用可能な商店主及び「ＳｈｏｐＬｉｖｅ」割引を処理し、在庫及び製品の有無を確認し、買物客から配達方法に関する情報を入手し、配達経費を算出し、購入確認のためにインボイス合計を買物客に表示する。
【０１０１】
支払方法選択機能９０２は、買物客に購入に対する支払い方法を確認する。この機能は、買物客プロフィールからの財務データの入手、買物客が利用を希望する支払方法の決定、商店主が容認する支払方法の確認、及び、処理を目的としたクレジットカード注文書の作成を行う。また、この機能は、製品購入のための支払方法としてのあらゆる商品券の使用を処理する。
クレジットカード販売処理機能９０５は、外部クレジットカード処理施設へのクレジットカード購入の送信を処理する。取引の確認又は辞退があり次第、この機能は、販売の通知並びに買物客の購入履歴の更新処理を管理する。
【０１０２】
購入が完了した状態で、購入取引詳細９４０を用いて買物客及び商店主ファイルの全てが更新される。この購入情報は、外部「ＳｈｏｐＬｉｖｅ」財務（ＡＲ、ＡＰ、及び、ＧＬ）によってアクセス可能である。
買物客への注文確認発送機能９０６は、注文確認データを標準的な電子メールフォーマットに書式化し、注文及び購入確認を買物客の電子メールに発送する。また、この機能は、注文及び購入詳細を買物客画面９１６に表示する。
【０１０３】
商店主への注文詳細発送機能９０８は、商店主への注文書確認の書式化及び発信を処理し、適用可能な場合には買物客プロフィールからの注文詳細、倉庫スタッフ向けの商店主集荷伝票、及び、外部配達アプリケーションに対する注文準備及びＸＭＬ納品請書を発送する。
「ＳｈｏｐＬｉｖｅ」財務データ更新機能９１０は、システム財務データの更新を管理する。この機能は、購入を反映するための買物カートの更新、購入を反映するための買物ミッションイベントの更新、「ＳｈｏｐＬｉｖｅ」財務（ＡＰ、ＧＬ、及び、ＡＲ）向けの所要インタフェース記録の作成、買物客の購入履歴の更新を行う。
【０１０４】
購入ゲートウェイの業務規則は、通常の「ＳｈｏｐＬｉｖｅ」買物客の場合とほとんど同一の方法で、ある物理的位置での飛び込み買物客に対する購入履行の方法を確立したものである。主な相違点は、飛び込み買物客が独自のトークンを通じて識別される点、飛び込み買物客がタブレットのいずれか、又は、既存の物理的な所有地において購入を開始してもよい点、及び、ショッピングセンターが買物客の注文を完了するために倉庫履行センターを有してもよい点である。購入履行機能については、図１７、処理１７００、及び、関連テキスト仕様書で更に定義されている。
【０１０５】
図１０を参照すると、「クリエーションズ」として公知の物理的な飛び込みの実施形態で使用される「ＳｈｏｐＬｉｖｅ」システムの特定実施形態に対する注文調達処理１０００が図式化されている。
「クリエーションズ」における「注文調達」では、それ独自の強化された履行能力が使用される。「クリエーションズ」倉庫及び社内スタッフによって必要とされる特定の注文調達業務処理に対処するために、追加の機能性が与えられている。「クリエーションズ」買物客は、買物ミッションを完了するために、インターネットを通じて、又は、「クリエーションズ」位置において生で「ＳｈｏｐＬｉｖｅ」アプリケーションを使用するという点で独特である。
【０１０６】
「クリエーションズ」勘定場で、又は、その場所全体を通して位置するキオスクタブレットの１つからのいずれかで購入取引を完了しようと決める買物客は、「クリエーションズ」内の注文書処理をトリガする。完了した状態で、購入機能によって、「注文書」が購入ゲートウェイによって生成される（図９の処理９００）。注文書文書は、注文書処理１００２によって処理され、この機能は、ＸＭＬ文書を復号し、着信注文書１００４の表を更新し、追加処理のために注文を準備する。
【０１０７】
集荷伝票生成機能１００６は、着信注文書の受付け、販売履歴及び商店主在庫１０３０に照らした注文の確認、注文編集のために倉庫スタッフが使用することができる集荷伝票１００８の生成、及び、顧客が注文調達の方法として配達を選択した注文品に対するＸＭＬ納品請書の生成を行う。
「クリエーションズ」倉庫スタッフ向けの倉庫報告書生成１０１０は、この機能を使用して、注文品処理、倉庫管理、及び、外部配達機能１０２０に使用される様々な倉庫報告書を生成する。
倉庫集荷伝票処理機能１０１２は、倉庫スタッフが、注文品が編集されて買物客のために準備された後に集荷伝票処理を完了することを可能にする。注文詳細が入力され、元の注文書は完了と記される。
【０１０８】
図１１を参照すると、「ＳｈｏｐＬｉｖｅ」セッションは、キオスクを通じて、又は、「クリエーションズ」タッチパッド又は同様の入力装置と対話することにより、買物客が「ＳｈｏｐＬｉｖｅ・ブラウザ」を使用し、インターネットを通じて「ＳｈｏｐＬｉｖｅ」取引ゲートウェイ１１００に申し込む時に作成される。「ＳｈｏｐＬｉｖｅ」アプリケーションは、その特定買物客の独自の買物セッションを作成する。このセッションは、取引ゲートウェイの役目をし、それを通じて買物客は買物体験を完了する。
【０１０９】
買物客ログイン４０２は、買物客が登録「ＳｈｏｐＬｉｖｅ」５０２であることを保証するための買物客名及びパスワードの確認を管理する。新規買物客については、この機能は、買物客登録を開始するか、又は、登録しないことを選択した場合は匿名買物客をセットアップする。完了した状態で、買物客ログイン機能４０２は、制御を「ＳｈｏｐＬｉｖｅ・セッション」開始モジュール４０４に送る。「クリエーションズ」買物客は、所有地の様々なタブレット又はキオスクでの購入を容易にするのに使用されるトークン又はカードが割り当てられる。
【０１１０】
「ＳｈｏｐＬｉｖｅ」セッション開始機能１１３０は、システムによって必要とされる様々な一時的な表の作成を含む、「ＳｈｏｐＬｉｖｅ」セッションモジュールによって必要とされる一時的な表の全てを作成する。この機能は、以下のタスクを実行する。すなわち、アクティブ買物ミッション及びアクティブ買物カートの作成、最終セッションの状態を判断し、必要に応じて最終買物セッション及び買物カートの再構築の開始するための買物客データの読み取り、買物ミッションに向けた買物客プロフィール／好みデータのロード、買物客通知待ち行列の開始、及び、商店主及び店舗ディレクトリなどのアプリケーション・キャッシュファイルのロードである。
【０１１１】
自動セッション時間切れ１１０６は、買物客が活動しない一定期間後に自動的に時間切れにする。この期間は、「ＳｈｏｐＬｉｖｅ」システム表内のシステムパラメータによって制御される。セッションが時間切れ閾値に達した状態で、セッション、買物カート、及び、ミッションデータがシステム表に書き込まれる。買物客が再度ログインによってセッションを再度接続した時、買物客は、前回／現行セッションに再接続したいか尋ねられる。
同一のセッション管理規則がインターネットベースの「クリエーションズ」買物客に適用される。「クリエーションズ」位置に物理的に居る買物客は、拡張セッションタイム閾値を有し、買物客は、買物客が「クリエーションズ」位置から出た時に自動的に切断される。
【０１１２】
「ＳｈｏｐＬｉｖｅ・ブラウザ」ダウンロード機能１１０８は、買物客によって開始された時に買物客端末への「ＳｈｏｐＬｉｖｅ・ブラウザ」のダウンロードを処理する。この機能は、買物客がビデオソフトウエアの現行バージョンを有するか判断し、そのプラグインのダウンロード及びインストールを管理する。また、このモジュールは、ビデオソフトウエアの現行バージョンを反映するために買物客主データを更新する。
【０１１３】
ＸＭＬイベント処理モジュール１２０２は、外部アプリケーションからの着信ＸＭＬを処理する。この処理は、ＸＭＬ書式を識別し、予備確認及び書式チェックを行ない、次に、着信メッセージ待ち行列１２３０内にその文書を登録する。通常のＸＭＬ書式には、外部検索結果、在庫更新、カタログ更新、配達通知更新、及び、遠隔又は外部アプリケーションからの他の文書通信が含まれる。
メッセージ受領確認１２０６は、配達確認を必要とする外部アプリケーション向けのメッセージ受領確認の作成を管理する。受領書は自動的に作成され、発信ＸＭＬメッセージ表１２５０に書き込まれる。
【０１１４】
ＸＭＬメッセージ復号１２０８は、それぞれ、「ＳｈｏｐＬｉｖｅ」システム表内で定義された文書化された復号規則を有する。この処理は、ＸＭＬメッセージの種類を識別し、予め定義された業務処理規則に従って、メッセージ内容を有効な「ＳｈｏｐＬｉｖｅ」イベント１２６０に復号する。発見されたあらゆるエラーは除外され、システムエラー記録１２４０に書き込まれる。
エラー処理１２１０は、ＸＭＬ取引に関してエラーが発見されたことを通知する、外部処理に戻されるＸＭＬエラーメッセージを作成する。発信ＸＭＬ書式は、発信ＸＭＬメッセージ表に書き込まれる。
【０１１５】
メッセージ配信機能１２１２は、適切なアプリケーションモジュールにメッセージを配信する。イベントは、適切な買物セッションに対して記録される。
イベントメッセージ処理モジュール１２１４は、発信メッセージ１２８０を作成するために内部処理からのアプリケーションイベントを処理する。このモジュールは、発信メッセージ及び適正なＸＭＬ書式を識別し、書式チェックを行ない、次に、その文書を発信メッセージ待ち行列内に登録する。通常の発信ＸＭＬ書式には、外部検索要求、在庫問合せ、注文書、販売確認、及び、配達通知更新が含まれる。
【０１１６】
ＸＭＬメッセージ符号化機能１２１８は、「ＳｈｏｐＬｉｖｅ」システム表内で定義された符号化規則を文書化する。この処理は、ＸＭＬメッセージの種類を識別し、予め定義された業務処理規則に従って、メッセージ内容を有効な外部ＸＭＬ書式１２５０に符号化する。
ＸＭＬメッセージ配信機能１２２０は、安全なメッセージを適切な外部アプリケーションに配信（送信）する。
【０１１７】
図１３を参照すると、検索エンジン１３００アプリケーションは、買物客又はＳＬＡに対して、「ＳｈｏｐＬｉｖｅ」検索エンジンを通じてモール、店舗、又は、製品を検索する能力を提供する。検索エンジンは、この情報を得るために「ＳｈｏｐＬｉｖｅ」内部及び外部データベースの両方にアクセスする。
「ＳｈｏｐＬｉｖｅ」ディレクトリ検索・検索エンジン１３０２は、システムユーザが、様々な検索判定基準を使用してモール及び商店主情報１３０４のディレクトリを検索することを可能にする。検索エンジン１３０２によって、買物客（又は、他の「ＳｈｏｐＬｉｖｅ」システムユーザ）は、ショッピングモールの検索、商店主の検索、及び、ビデオステーションの検索を行うことができる。検索エンジンは、買物ミッション及び買物客好みデータを使用して検索フィールドを予め記入することにより知的検索技術を利用する。買物客は、氏名、地理上の位置、カテゴリー、及び、地の判定基準によって検索することができる。
【０１１８】
製品検索１３１２及びビデオステーション検索１３１６機能は、買物客が製品情報及びビデオステーションに関して「ＳｈｏｐＬｉｖｅ」カタログを検索することを可能にする。検索エンジンは、買物客ミッション及び買物客プロフィールデータを使用して検索処理を円滑化する。また、買物客は、製品情報を得るためにビデオカタログを検索することができる。
外部カタログ検索機能１３１４は、外部商店主カタログの検索機能性を管理する。この機能は、図１４で更に定義されている。この処理は、商店主が外部カタログを維持するかの判断、ＸＭＬでの検索要求の符号化、商店主システムＵＲＬへの検索要求の送信、検索結果の復号、及び、買物客への検索結果の配信を行う外部検索である。この機能は、検索結果をモニタして、外部検索ＡＰＩ処理に対する時間閾値を超えるものを自動的に拒絶する。
【０１１９】
「ＳｈｏｐＬｉｖｅ」システムユーザのために検索エンジンがアクセスする表が１３３０で表されている。これらは、モール、商店主、ビデオステーション、及び、商店主カタログに必要な全てのデータを包含する。これらの表からのデータは、買物客向けのディスプレイの準備に使用される。「ＳｈｏｐＬｉｖｅ」からの検索結果情報は、「ＳｈｏｐＬｉｖｅ」セッションに対する「インターネット」ウェブページ（通常は、ＨＴＭＬ、ＷＭＬ、又は、他のＡＮＳＩＩ標準インターネット装置表示可能フォーマットによる）として表示される（１３３２）。インターネットブラウザ（すなわち、「Ｎｅｔｓｃａｐｅ」又は「Ｉｎｔｅｒｎｅｔ　Ｅｘｐｌｏｒｅｒ」）は、これらのページを買物客に表示するためにこのような機能性を組み込ませている。
【０１２０】
図１４を参照すると、ＡＰＩ検索処理１４００は、「ＳｈｏｐＬｉｖｅ」商店主パートナーが外部カタログへのアクセスを可能にする時に自動的に開始される。処理１４０２は、買物客の検索判定基準を提示し検索要求１４２０を作成する「ＳｈｏｐＬｉｖｅ」知的検索エンジンを使用して外部検索を開始する。検索要求は、ＸＭＬ検索記録１４４０を作成するために、１４３０で表内に表したＸＭＬ確認規則と共に製品及び商店主データを使用してＸＭＬメッセージ１２１８に符号化される。
【０１２１】
検索記録は処理され、ＸＭＬメッセージ１２２０は外部商店主に送信される。次に、ＸＭＬメッセージ復号１２０８処理は、外部カタログからの着信検索結果を処理する。検索結果は、最初の検索要求１４４０に対して照合され、有効な検索結果は１４５０に書き込まれる。メッセージ配信処理１２１２は、１４５０からの検索結果を処理し、確認規則１４６０に従って復号し、次に、書式化されたカタログ検索結果を買物客に表示する。
【０１２２】
図１５を参照すると、カタログアクセス・サブシステム１５００は、「ＳｈｏｐＬｉｖｅ」商店主向けのカタログ、画像、内容、及び、ビデオ画像の列を管理する。このアプリケーションは、買物客のために小売店舗のカタログ情報へのアクセスを提供する。このアプリケーションは、買物客のために直接「ＳｈｏｐＬｉｖｅ」カタログデータにアクセスするか、又は、外部データベースに記憶されたカタログ情報への共通インタフェースを準備する。
【０１２３】
アプリケーション１５００は、買物客のために小売商及びチェーン店レベルの両方でのカタログ情報へのアクセスを提供する。このアプリケーションは、買物客のために直接カタログデータにアクセスするか、又は、外部データベースに記憶されたカタログ情報への共通インタフェースを準備するかのいずれかである。この構成要素によって、必要に応じてテキスト、画像、又は、ビデオ映像としてカタログ内容がサポートされる。カタログアクセスは、以下の機能をサポートする。「ＳｈｏｐＬｉｖｅ」管理者は、必要な場合には、いつでも以下の機能の全てにアクセスして実行する権利を保持する。
【０１２４】
製品追加機能１５０２は、商店主が新製品を彼等のカタログに追加することを可能にする。許容される製品数に関するいかなる制限もこの時点では決定されない。これには、以下に限定されないが、製品識別、特性、寸法、使用及び用途、価格決定構造、及び、サポート製品及び類似製品などを有する参考資料を含む、製品に関する全てのデータが含まれる。商店主はまた、この時点で製品に関連したマルチメディアデータをアップロードすることができる。
【０１２５】
本システムは、ユーザインタフェースを通した製品単位の追加、又は、ＸＭＬ定義製品ロードバッチファイル１５１４を通したバッチ更新をサポートする。バッチは、新製品を追加し、既存の製品を更新する。
製品更新１５０４は、商店主が「ＳｈｏｐＬｉｖｅ」アプリケーションにログインして、彼等のそれぞれのカタログの既存製品を更新することを可能にする。商店主は、「ＳｈｏｐＬｉｖｅ」によって作成された製造識別番号を除く全ての情報を変更することができる。
商店主はまた、ＸＭＬ製品ロードバッチファイルを通じて製品を更新することができる。バッチファイルによって、新製品がデータベース内に挿入され、既存製品が更新される。
【０１２６】
製品削除１５０６は、商店主が彼等の「ＳｈｏｐＬｉｖｅ」アカウントにアクセスして一時的又は永久的に製品を止めることを可能にするが、それらを物理的に削除することはできない。これは、保安上及び完全性のためである。本システムは、外部からの製品の大量削除を許さない。「ＳｈｏｐＬｉｖｅ」は、商店主がシステムにログインし、いくつかの製品の問合せを行い、それらを停止することを可能にするが、削除を目的としてＸＭＬインタフェースを通じてバッチファイルを送信することを許さない。
【０１２７】
製品在庫更新１５０８は、在庫を製品属性として製品と直接関連づけることを可能にする。商店主には、「ＳｈｏｐＬｉｖｅ」内で作成したカタログに対する製品在庫を定期的に更新する責任がある。「ＳｈｏｐＬｉｖｅ」は、内部カタログのために在庫を内部的に検査する（在庫更新のための外部カタログとは対照的であり、図１６を参照されたい）。
製品画像ロード１５１０は、製品に対してそれらに付随した画像を持たせることを可能にする。商店主は、彼等のカタログ製品に付随する本来の色彩の画像をアップロードする能力を有する。製品在庫は、ＸＭＬバッチファイルロードを使用して更新することができる（製品更新）。
【０１２８】
製品ビデオクリップロード１５１２は、商店主に対して、様々な設定で、並びに、例えば製品に対して設置用取扱説明が必要な場合などの買物客の手助け又は「ヘルプ」目的で、製品を示すビデオクリップをロードする能力を与える。ビデオクリップの仕様又は製品当たりのクリップ数は、この時点では決められない。
表１５３０は、商店主製品カタログデータ、ビデオカタログデータ、製品在庫、及び、製品価格決定を含む他の関連商店主カタログ情報を保持するのに使用される。特定商店主用の表１５３０は、それにデータを供給するカタログアクセス機能１５０２、１５０６、１５０８、１５１０、１５１２、及び、１５１４の全てを通じて更新される。
【０１２９】
図１６を参照すると、外部在庫アクセス１６００は、店舗位置レベルでカタログ在庫の有無を問い合わせる能力を提供する。「ＳｈｏｐＬｉｖｅ」アプリケーションによって管理される在庫は、外部在庫システムデータが共通インタフェースを通じて供給される間は、即時アクセス可能である。在庫データを交換する共通の方法は、「ＳｈｏｐＬｉｖｅ」アプリケーションの在庫ＡＰＩ及びＸＭＬ書式で文書化され、参加者によってサポートされている。
【０１３０】
外部在庫問合せ１６０２は、そのＡＰＩを通じてＸＭＬ書式の問合せパケットを返送することにより、外部商店主の製品在庫を問い合せる。商店主のシステムは、ＸＭＬベースの応答パケットを返送する。一時的な外部在庫１６４０が作成される。ＸＭＬ在庫問合せ書式化１６０４処理は、在庫、製品、商店主、及び、ＸＭＬ確認規則１６３０を利用してＸＭＬ在庫問合せ１６６０を作成する。在庫問合せが処理され、ＸＭＬメッセージ１６０８が外部在庫アプリケーションに送信される。外部アプリケーションからの応答は、外部応答処理１６１４によって処理され、ＸＭＬ問合せ結果１６６０に書き込まれる。外部応答処理１６１４は、外部商店主在庫からの着信ＸＭＬ応答書式を内部的に処理する。時間閾値を超えるメッセージは破棄される。残りのメッセージは、「ＳｈｏｐＬｉｖｅ」イベント又は通知フォーマットに書式化されて要求処理アプリケーションに送信される。
【０１３１】
問合せ結果は、最初の問合せ結果１６６０と照合される。在庫データ復号１６１０は、着信問合せ結果を処理する。処理１６０６は、在庫問合せ結果を「ＳｈｏｐＬｉｖｅ」処理発生に配信する。「ＳｈｏｐＬｉｖｅ」の基本的セッションゲートウェイ・フレームワークは、ＸＭＬパケットを検査してそれらの適正な目的地に経路指定し、「ＳｈｏｐＬｉｖｅ」内部システムと外部商店主システムとの間の通信を処理する。外部在庫更新処理１６１６は、「ＳｈｏｐＬｉｖｅ」商店主からの外部在庫更新を自動的に処理して在庫更新処理を開始する機能である。外部在庫更新処理１６１６は、商店主からの彼等のオンライン「ＳｈｏｐＬｉｖｅ」カタログ製品のための在庫更新を処理し、それに応じて在庫量を更新する能力を提供する内部処理である。商店主はまた、カタログ維持機能を使用して在庫を更新することができる。
【０１３２】
図１７を参照すると、購入履行アプリケーション１７００は、「ＳｈｏｐＬｉｖｅ」買物客の代わりに購入を確認し、購入サイクルを完了し、買物客の好みに基づく集荷、発送、及び、ハンドリングを含む注文調達を処理する能力を提供する。購入履行は、外部「購入履行」アプリケーションへのインタフェースを通じて、又は、その目的のための小売商のアプリケーションとのインタフェースを通じて「ＳｈｏｐＬｉｖｅ」内で処理されてもよい。
【０１３３】
本節の各段階は、「ＳｈｏｐＬｉｖｅ」が履行機能を実行している場合に限り適用される。第２の場合は、「ＳｈｏｐＬｉｖｅ」が買物客と小売商との間のパイプの役目をしており、履行を行う小売商にそれを通じて購入要求を送る場合であろう。この場合、本節で示す段階は必要ではない。その結果、「ＳｈｏｐＬｉｖｅ」は、それが買物客の購入の履行に関する状態情報を提供することができず、状態に関しては買物客が直接小売商に連絡する必要があることを買物客に通知する。
【０１３４】
「ＳｈｏｐＬｉｖｅ」の「購入履行」構成要素は、以下の機能を有する。
買物客が購入ゲートウェイ９００内で注文を確認した時、「ＸＭＬ注文書」が生成されて「購入履行」１７００構成要素に送られる。「注文書」は、フォーマットを確認して一時的な表である着信注文書１７０４に「注文書」を書き込む「購入要求処理」１７０２機能によって処理される。在庫検査及び更新処理１７０６は、表１７２０からの情報を使用して商店主のための在庫があることを確認する。全ての内部処理を行った後に、在庫記録は、買物客の購入の数量だけ減じるように更新され、顧客注文及び集荷伝票記録が適切なアプリケーション表１７０４に作成される。外部在庫問合せの場合は、「在庫ＡＰＩ」１６００によって必要とされる情報は、外部システムによる処理のためにＸＭＬ要求の形で送信される。
【０１３５】
在庫が更新された状態で、売上伝票生成機能１７１０は、顧客注文詳細と共に「ＳｈｏｐＬｉｖｅ」商店主に送信される売上伝票を作成する。
集荷伝票処理１７１２機能は、商店主が買物客の注文を準備するのに使用するＸＭＬ集荷伝票を作成する。
配達通知処理１７１４機能は、出荷配達詳細を外部配達アプリケーション１０２０に供給するために「ＳｈｏｐＬｉｖｅ」によって使用される。納品請書は、発送人に出荷詳細を通知する。商店主は、「ＳｈｏｐＬｉｖｅ」から受信した売上伝票を通じてこれを相互確認することができる。
発送人が集荷位置にて購入品を集荷した状態で、発送人は出荷確認を「ＳｈｏｐＬｉｖｅ」に送り、その出荷確認は、それを顧客注文と照合して１７０４の表を更新する出荷確認処理機能１７１６によって処理される。
【０１３６】
出荷品を配達伝票に指定された配達場所に配達した後、発送人は、配達確認処理機能１７１８によって処理されるＸＭＬ配達詳細書式を通じて、「ＳｈｏｐＬｉｖｅ」に配達確認を通知する。顧客注文情報１７０４は自動的に更新される。
「ＳｈｏｐＬｉｖｅ」が発送人と対話することによって発送予約を済ませており、予約番号も用意されているので、買物客は、「ＳｈｏｐＬｉｖｅ」にいつでもログオンして出荷状態をチェックすることができる。
倉庫及び在庫報告書生成機能１７０８は、「ＳｈｏｐＬｉｖｅ」発生の注文を小売商の店舗在庫内で追跡し、配達伝票の作成し、在庫管理もたらすために、小売商が使用することができる小売商倉庫集荷報告書及び在庫更新報告書を生成する。
【０１３７】
図１８を参照すると、アプリケーション１８００は、買物客プロフィール情報を登録商店主又はプロフィール情報を必要とする商店主に供給する。商店主及びモールによるデータマイニングのために、人口統計学的グループによる傾向及び市場分析報告書が用意されている。商店主及びモールは、「ＳｈｏｐＬｉｖｅ」報告書作成機能を使用して報告書にアクセスし、それを印刷することができる。
中間表作成内部バッチ処理１８０２は、データ・ウェアハウスに関する統計及びマーケティング分析報告書の編集に使用される一時的な中間表を作成する。このバッチ処理は、「ＳｈｏｐＬｉｖｅ」買物客、購入履歴、セッション、及び、システム表１８０４から関連データを抽出し、一時的な中間表１８０６を作成する。
【０１３８】
中間表作成は、データ・ウェアハウスのための統計及びマーケティング分析報告書の編集に使用される一時的な中間表１８３０を作成する内部バッチ処理である。このバッチ処理は、「ＳｈｏｐＬｉｖｅ」買物客、購入履歴、セッション、及び、システム表１８２０から関連データを抽出し、データマイニングを目的として一時的な中間表及び統計表を作成する。この処理は、来店頻度、店内滞在時間、訪問した小売商の数、購入数及び購入量、平均購入金額、広告に関する統計、購入傾向、及び、お気に入り製品及び銘柄といった種類のデータに集中して、買物客の人口統計学に基づいて統計結果を編集する。
【０１３９】
月間統計作成内部処理１８０４は、一時的な中間表１８３０を使用して、商店主、人口統計学的グループ、及び、個々の買物客に関する人口統計学的月間統計で「ＳｈｏｐＬｉｖｅ」取引表１８４０を更新する。
マーケティング及びトラフィック報告書生成機能１８０６は、市場分析及び請求書作成を目的として定期的（週刊、月刊、その他）に生成される様々な「ＳｈｏｐＬｉｖｅ」企業マーケティング及びトラフィック報告書を生成する。
人口統計学的売上データ問合せ機能１８０８は、取引表１８４０にアクセスし、認定商店主がマーケティングを目的として、「ＳｈｏｐＬｉｖｅ」が編集した人口統計学的売上データを閲覧することを可能にする。商店主は、企画及びマーケティングを目的として売上情報を利用することができる。
【０１４０】
マーケティング及びトラフィック報告書生成１８１０は、「ＳｈｏｐＬｉｖｅ」アプリケーションによって収集された統計データに関する小売商及びモール向けの様々な報告書を生成する。消費者売上、商店主トラフィック、及び、モール活動を詳説した様々な報告書を、商店主、モール、及び、「ＳｈｏｐＬｉｖｅ」マーケティングスタッフは利用することができる。
消費者購入データ（消費者プライバシー規約に準ずる）は、統計上の目的及び他のデータマイニング練習のために利用可能である。データ・ウェアハウス内で収集されたデータ（図１８のマーケティング報告書及び買物客プロフィール処理を参照）は、組織内又は外部データマイニングエンジンによる分析のために用意されている。
【０１４１】
最初に、「ＳｈｏｐＬｉｖｅ」アプリケーションは、買物客挙動データを収集し、以下のことに集中する。
買物客、商店主、及び、グループに関する人口統計学結果に対するデータの編集及び分析、
調査に対する買物客の回答の収集及び分析、
買物客購入履歴の収集及び分析、
買物体験の収集及び分析、
マーケティングを目的とした人的要因解析の実行、
小売店傾向分析の実施、
商店主及び販売スタッフの販売能力の測定、及び
商店主の販売を通した広告及び販売促進の有効性の測定。
【０１４２】
「ＳｈｏｐＬｉｖｅ」商店主ウェブサイトは、アプリケーションに登録した各商店主又は「クリエーションズ」テナントのプロフィールを掲示している。このプロフィールは、買物客に対して、商店主、そのサービス、及び、そのオンラインカタログ及び在庫とのリンクを含む商店主特定所在地用の情報に関する概要をもたらす。「ＳｈｏｐＬｉｖｅ」は、「ＳｈｏｐＬｉｖｅ」サーバにプロフィール内容をアップロードするためのシステムユーティリティへのアクセスを含む、プロフィール情報を管理するツールをテナントに提供する。商店主が利用することができるツール一式は、図２１の商店主事務管理システムに網羅されている（参照番号２３１８の商店主プロフィール管理）。
【０１４３】
「ＳｈｏｐＬｉｖｅ」は、登録商店主が、彼等のウェブサイトにアクセスする時に、買物客に対してカスタム化又は個人化された内容を配信することを可能にする。この機能は、商店主が買物客の好み、商店主のマーケティング上の好み、及び、買物客の人口統計学的結果に基づいて異なる外観や感じを自動的に準備することを可能にする。「ＳｈｏｐＬｉｖｅ」アプリケーションは、マーケティング及び傾向分析を目的として、消費者の挙動及び販売統計を追跡する。
【０１４４】
図１９を参照すると、対顧客関係管理サブシステム１９００は、「ＳｈｏｐＬｉｖｅ」が買物客、商店主、及び、モールに関する対顧客関係管理サービスを処理することを可能にする。本システムは、オンライン「ヘルプ」へのアクセス、買物客又は商店主によって提出された顧客コメント書式に対する電子メールによる回答、及び、「ＳｈｏｐＬｉｖｅ」ビデオセッションを通したＳＬＡとの直接連絡といった「ＳｈｏｐＬｉｖｅ」顧客に対する３つのレベルの手助けを提供する。
【０１４５】
エージェント登録機能１９０２は、「ＳｈｏｐＬｉｖｅ」アプリケーション内での「ＳｈｏｐＬｉｖｅ」エージェントの登録を可能にする。登録されると、各エージェントは、ログイン１９０３を通じてＣＲＭ顧客管理ツールにアクセスすることができる。エージェント登録は、遠隔又は仮想エージェントの概念をサポートする。仮想エージェントは、ＳＬＡとして仕えるために遠隔地から「ＳｈｏｐＬｉｖｅ」システムの中にネットワーク化される。仮想エージェントを使用すると、商店主又は売り手は、専用店員を置くことなく店頭２４１７にスタッフ配備することができる。仮想エージェントは、「ＳｈｏｐＬｉｖｅ」ネットワークに接続するための完全な映像及び音声接続を有し、製品の有無、価格決定、仕様、及び、発送予定などを引き出すための製品情報データベースへのアクセスを有する。
【０１４６】
セッションパラメータ管理機能は、「ＳｈｏｐＬｉｖｅ」管理者が優先権を含む各ユーザセッションに関連したセッションパラメータ１９０４を管理することを可能にする。
統計及びトラフィック報告書閲覧機能１９０６は、「ＳｈｏｐＬｉｖｅ」管理者がモール及び商店主向けのトラフィック及び買物客来店報告書を閲覧及び印刷することを可能にする。これらの報告書は、マーケティング及びデータマイニングのために第三者トラフィック報告書と組み合わされる。
【０１４７】
システムヘルプファイル管理機能１９０８を通じて、管理者は、「ＳｈｏｐＬｉｖｅ」システムベースのヘルプファイルを更新する。「ＳｈｏｐＬｉｖｅ」は、買物客がゆっくりと目を通すことができる「ＳｈｏｐＬｉｖｅ・ヘルプ」情報及びよく尋ねられる質問（ＦＡＱ）のインターネットデータベースを提供する。「ＳｈｏｐＬｉｖｅ」ヘルプ機能へのアクセスは、全ての「ＳｈｏｐＬｉｖｅ」顧客に対して用意されている。
【０１４８】
買物客及び商店主は、もし彼等が「ＳｈｏｐＬｉｖｅ・ヘルプ」ファイル又はＦＡＱページが対処できない問合せを有する場合、個人的買物客に連絡することができる。ある場合には、ＳＬＡは、買物客及び商店主に代わって顧客コメント書式を完了し、ＣＲＭグループによる解決を求めるためにそのコメントを提出する。ＳＬＡの手助けの要請は、内部ＡＮＱ通知処理１９１０を使用してエージェント通知として処理される。
【０１４９】
顧客コメント管理機能１９１２は、顧客サービス担当者又はＳＬＡエージェントによる顧客コメントの管理を可能にする。顧客（買物客、商店主、又は、モール）は、「ＳｈｏｐＬｉｖｅ」ウェブサイトからの顧客コメントカードを使用して苦情、問題、又は、賛辞を記録することができる。顧客コメント書式を受領するとすぐに、その顧客は、受信を確認し、追跡を目的とした独自のＩＤを割り当てる個人的電子メールを受信する。顧客は、「ＳｈｏｐＬｉｖｅ」アプリケーションを通じて自分のコメントの状態を検査することができる。問題が解決されると、解決策が顧客に送信されてその問題が完了となる。
【０１５０】
「ＳｈｏｐＬｉｖｅ」セッション管理機能１９１４は、ＳＬＡが「ＳｈｏｐＬｉｖｅ」買物セッションゲートウェイ・フレームワークを通じて買物客と接続された時に買物セッションを管理することを可能にする。同様に、買物客と他の買物客参加者との間のビデオ会議１９２０も管理する。ＳＬＡは、買物客からの通知への応答、買物客に代わって商店主との連絡、買物客のために商店主との来店約束の設定、買物客に代わって検索の実行、買物セッションへのウェブページのプッシュ、買物客ミッションの問合せ、買物客の活動を判断するための買物セッションイベントの検討、又は、買物客プロフィールデータの問合せを行う。この情報の全ては、処理１９３０で表された表に包含されている。
静的「ＨＴＭＬヘルプページ」生成１９１６は、内部システム構成要素であり、それは、システム管理者が静的「ＨＴＭＬヘルプ」及びＦＡＱページを更新すると自動的にそれらを作成する。ＨＴＭＬページの事前構築は、各ユーザ向けの「ＳｈｏｐＬｉｖｅ」データベースへのアクセスよりも効率的である。
【０１５１】
図２０を参照すると、「ＳｈｏｐＬｉｖｅ」事務管理システム２０００は、システム管理ファイル、システムユーザ、及び、システム表の管理に必要とされる構成要素及びサブシステムから成る。それは、「ＳｈｏｐＬｉｖｅ」アプリケーションゲートウェイ向けのデータベース及び事務管理機能を管理する。「ＳｈｏｐＬｉｖｅ」企業プロフィール維持機能２００２は、管理者が、プロフィールウェブページを埋めるために使用される「ＳｈｏｐＬｉｖｅ」企業情報を更新することを可能にする。システムユーザ登録機能２００４は、管理者が、商店主、モールエージェント、及び、個人的買物客又はＳＬＡを含むシステムユーザを登録し、並びに、各個人に様々な保安レベルを割り当てることを可能にする。モールディレクトリデータ維持機能２００６は、管理者がモールディレクトリ情報を登録及び更新することを可能にする。各モールは、「ＳｈｏｐＬｉｖｅ」アプリケーションに登録され、初期アクセス及び保安上の権限が与えられる。
【０１５２】
買物客データ維持機能２００８は、管理者によって買物セッション及び重要買物客情報の管理に使用される。管理者は、買物客登録データの更新、買物客パスワードのリセット、買物客データの停止又は回復及び問合せ、及び、報告書の作成を行うことができる。
「ＳｈｏｐＬｉｖｅ」静的ページ生成一般機能２０１０は、データが更新された状態で「ＳｈｏｐＬｉｖｅ」企業データからＨＴＭＬウェブページを自動的に作成する。ＨＴＭＬページの事前構築は、各ユーザ向けの「ＳｈｏｐＬｉｖｅ」データベースへのアクセスよりも効率的である。
【０１５３】
ビデオステーション・ログイン機能２０１２は、各ビデオステーションエージェントに対するログイン処理を処理する。それは、セッションを確立し、買物客をエージェントに割り当てる時にアプリケーションが使用するエージェント有無表を更新する。
通知処理機能２０１４は、「ＳｈｏｐＬｉｖｅ」により、エージェント、商店主、及び、買物客へのビデオエージェント通知を管理してトラフィック制御を通じて適切なエージェントへそれらを経路指定するのに使用される。この機能は、利用可能性及び地理的位置に基づくエージェントへの通知の経路指定と、通知に対するエージェントの回答の管理と、ＳＮＱパラメータ及びエラー追跡の管理と、買物客、商店主、及び、「ＳｈｏｐＬｉｖｅ」エージェントへの情報メッセージの自動生成及び経路指定と、待ち行列管理と、メッセージ回答の自動的照合と、クリーンアップとを取り扱う。
【０１５４】
ウェブページ内容維持及びアップロード機能２０１６は、ＷＳ−ＦＴＰ又は同様のパッケージを通じて処理される。この機能は、完了したウェブページを「ＳｈｏｐＬｉｖｅ」サーバに転送する能力を提供する。ページバージョンの制御は、通常、手作業により又は第三者パッケージを通じて処理される。
活動及びトラフィック報告書生成機能２０１８は、「ＳｈｏｐＬｉｖｅ」のトラフィック及び活動情報を「ＳｈｏｐＬｉｖｅ」管理者に提供する。ある報告書は、「ＳｈｏｐＬｉｖｅ」データに基づいており、他のものは、「ＳｈｏｐＬｉｖｅ」活動記録に亘って実行される第三者ウェブトラフィック分析プログラムを使用して生成される。
【０１５５】
システム表維持機能２０２０は、管理者が様々な「ＳｈｏｐＬｉｖｅ」システム表２０３０からの入力を追加、更新、閲覧、及び、削除することを可能にする。これらの表は、「ＳｈｏｐＬｉｖｅ」アプリケーションを通して使用され、都市名、州名、製品カテゴリー、製品銘柄、検索判定基準、及び、業務規則を有する表、及び、様々な他の表を含む。
紛失パスワード処理機能２０２０は、買物客又は商店主からの紛失パスワードに関する要請を処理し、その後、要望に応じて電子メールを通じてパスワードを買物客に送る。
機能２０２４は、管理者が「ＳｈｏｐＬｉｖｅ」所有地の各々に関するビデオステーション情報を登録及び更新することを可能にする。各ビデオステーションは、検索、ビデオ送信、及び、商店主との関連付けに対応するために「ＳｈｏｐＬｉｖｅ」アプリケーションに登録される。
【０１５６】
図２１を参照すると、商店主事務管理システム２１００は、モール所有地内並びに店内ビデオステーション内の商店主、所在地、及び、売場の登録を管理する。
商店主登録２１０２は、システム管理者が商店主、モール、又は、「クリエーションズ」位置内の各店舗に対する商店主情報を登録及び更新することを可能にする。この機能は、商店主登録、及び、商店主の商店主カタログ及び在庫との関連付けを可能にし、商店主を物理的な店舗、モール、又は、「クリエーションズ」位置と関連づけ、商店主プロフィール情報とのリンクを確立し、店内売場を定義し、ビデオステーションを商店主又は店頭位置と関連づける。この情報は、表２１３０に示す情報内に記憶されている。
【０１５７】
商店主プロフィール管理機能２１１８は、商店主管理者が特定の商店主位置に関する商店主プロフィール情報を更新することを可能にする。追加のウェブサイト内容ページは、「ＳｈｏｐＬｉｖｅ」静的ページ生成２１２０などの「ＳｈｏｐＬｉｖｅ」システムウェブツールを使用してアップロードすることができる。
商店主が彼等のビデオステーション２１０４にログオンした状態で、「ＳｈｏｐＬｉｖｅ」アプリケーションは、処理通知２１０８の配信を開始する。
【０１５８】
ビデオステーション維持機能２１０６は、管理者が「ＳｈｏｐＬｉｖｅ」所有地の各々に関するビデオステーション情報を登録及び更新することを可能にする。各ビデオステーションは、検索、ビデオ送信、及び、商店主との関連付けに対応するように「ＳｈｏｐＬｉｖｅ」アプリケーションに登録される。管理者はまた、トラフィック報告書を閲覧して問合せ２１１０を実行してもよい。
売上及び活動報告書閲覧／印刷機能２１１４は、商店主又は商店主管理者が様々な商店主に関する売上及びサイト活動報告書を印刷することを可能にする。報告書はまた、登録商店主に対してはインターネット上で閲覧することができる。
【０１５９】
商店主割引及び報酬金管理機能２１１６は、商店主が製品割引及び報酬金を「ＳｈｏｐＬｉｖｅ」又は「クリエーションズ」カタログの中に入力／更新することを可能にする。
このアプリケーションは、購入履行処理中に処理される様々な報酬金及び割引をサポートする。
商店主カタログ管理機能２１１２は、商店主又は商店主管理者が商店主オンラインカタログ内の製品情報を入力及び更新することを可能にする。
【０１６０】
商店主ＰＯＳ及び販売インタフェース管理機能２１２２は、商店主が彼等の場所特有の販売活動を印刷又は閲覧することを可能にする。この機能は、商店主ＰＯＳシステムを「ＳｈｏｐＬｉｖｅ」アプリケーションと一体化する（例えば、ＡＳＰ　ＰＯＳソリューションとの一体化）。
商店主は、彼等のビデオステーションに関してビデオ会議２１２４を管理及び日程計画することができる。
【０１６１】
図２２を参照すると、モール事務管理システム２２００は、モールの登録、モールのカレンダ、企業プロフィール、及び、「ＳｈｏｐＬｉｖｅ」アプリケーション内のモール関連機能を管理する。モール登録２２０２によって、システム管理者は、モール情報を登録及び更新することができる。この機能は、モール登録及びモール内への店頭の関連付けを可能にする。この情報は、表２２３０に示す情報内に記憶される。
モールプロフィール維持機能２２０４は、モール管理者が特定のモール位置に関するモールプロフィール情報を更新することを可能にする。追加のウェブサイト内容ページは、「ＳｈｏｐＬｉｖｅ」静的ページ生成２２２０などの「ＳｈｏｐＬｉｖｅ」システムウェブツールを使用してアップロードすることができる（２２１６）。
【０１６２】
モールセンターカレンダ及びイベント維持機能２４０６は、モール管理者が各モール所有地に関するカレンダ及びイベント情報を維持することを可能にする。
モールディレクトリ維持２２１０機能は、モール管理者がモール内の商店主及び店頭位置のディレクトリを維持することを可能にする。管理者は、商店主又は業務を特定モールの物理的位置と関連付け、モールカレンダ及びイベント２２０６を維持することができる。管理者はまた、トラフィック報告書を閲覧して問合せ２２０８を実行してもよい。
【０１６３】
販売及び活動報告書閲覧／印刷機能２２１８は、商店主又は商店主管理者が様々な商店主に関する販売及びサイト活動報告書を印刷することを可能にする。報告書はまた、インターネット上で閲覧することができる。
モールが彼等のビデオステーション２２１２にログオンした状態で、「ＳｈｏｐＬｉｖｅ」アプリケーションは、処理通知２２１４の配信を開始する。
「ＳｈｏｐＬｉｖｅ」は、標準的なＳＴＭＰ機能を使用して電子メールを買物客及びエージェントに送る。各エージェント又は商店主は、電子メールを処理及び回答するために電子メールパッケージにアクセスする必要がある。
【０１６４】
「ＳｈｏｐＬｉｖｅ」は、買物客に対して、彼等の郵便番号を入力して最寄りのモール又は商店主位置までのＭａｐｑｕｅｓｔの道順をマップする能力を提供する。このアプリケーションは、買物客からのデータ収集のために標準的なＭａｐｑｕｅｓｔインタフェースを使用する。「ＳｈｏｐＬｉｖｅ」は、ＦｅｄＥｘ及びＵＰＳ配達アプリケーションなどの様々な配送及び配達プロバイダと接続している。「ＳｈｏｐＬｉｖｅ」は、これらのプロバイダに対して標準的なＸＭＬ配達通知を使用する。また、「ＳｈｏｐＬｉｖｅ」は、外部クレジットカード処理金融機関と接続している。購入取引は、プロバイダによって指定された業界標準の安全なプロトコルに準拠している。サブシステム及び機能は、「ＳｈｏｐＬｉｖｅ」ウェブ資産を管理する必要がある。この第三者製品によってサポートされている機能は、ウェブサイト内容管理機能、ウェブサイト追跡及びモニタ機能、及び、広告バナー日程計画及び管理機能であり、モール又は商店主「特売品」及び電子チラシを管理する。
【０１６５】
図２３は、モール又は商店主レベルのアプリケーションがロイヤルティープログラムと接続し、登録番号を通じて「ＳｈｏｐＬｉｖｅ」買物客を識別する、「ＳｈｏｐＬｉｖｅ・ロイヤルティープログラム」処理２３００を示す。このロイヤルティープログラム・アプリケーションは、「ＳｈｏｐＬｉｖｅ」実装アプリケーション又は外部アプリケーションであってもよい。サブシステムは、以下の機能を提供する。「ＳｈｏｐＬｉｖｅ」は、内部及び外部プログラムを通じて買物客に様々なロイヤルティープログラムを提供する。「ＳｈｏｐＬｉｖｅ」は、ロイヤルティープログラムをマーケティング解決ツールとみなし、買物客に対してロイヤルティープログラムを選択すると最大の柔軟性を提供するように設計されている。
【０１６６】
登録処理中、買物客は、いくつかのロイヤルティープログラムの１つを選択する選択肢を与えられる。ロイヤルティープログラムによって提供される懸賞金は、買物客の好みに合わせて構成される。更に、「ＳｈｏｐＬｉｖｅ」は、外部ロイヤルティープログラム・プロバイダとの一体化をサポートする。ロイヤルティープログラムが提供する典型的なものには、優待券式のプログラム、在庫に基づく割引、及び、将来の製品又はサービス償還のための点数累積プログラムが含まれる。
【０１６７】
柔軟なロイヤルティープログラムは、商店主及び納入業者が特別提供品及び奨励品を用いてロイヤルティープログラム会員を標的にすることを可能にする。商店主は、どのプログラムが顧客のロイヤルティーを確保及び維持する上で最も効果的であるかを判断することができる。商店主は、ロイヤルティープログラムを効果的なマーケティングツールとして使用し、彼等のマーケティング努力の効果を判断することができる。
【０１６８】
「ＳｈｏｐＬｉｖｅ」は、様々な懸賞金を累積して買物客にそれらを単一の明細書で提示することができる。「ＳｈｏｐＬｉｖｅ」は、買物客の個人的データ及び商店主データを有するので、買物客に対する懸賞金を処理することができる。
商店主又はモールレベルの「ＳｈｏｐＬｉｖｅ」アプリケーションは、ロイヤルティープログラムに接続しており、買物客の「ＳｈｏｐＬｉｖｅ」登録番号を通じて「ＳｈｏｐＬｉｖｅ」買物客を識別する。ロイヤルティープログラム・アプリケーションは、「ＳｈｏｐＬｉｖｅ」実装アプリケーション又は外部アプリケーションであってもよい。サブシステムは、以下の機能を提供する。
【０１６９】
ロイヤルティー買物客登録機能２３０２は、「ＳｈｏｐＬｉｖｅ」買物客を登録し、買物客アカウントとリンクしたロイヤルティーカードを買物客に発行する能力を準備する。「ＳｈｏｐＬｉｖｅ」は、エントリの重複を避けるために内部データベースから買物客プロフィールデータ２３３０を提供する。
点数累積処理機能２３０６は、買物客の購入量及び商店主サイト訪問回数に基づいてロイヤルティープログラム点数を割り当てる能力を準備する。購入情報は、実際の買物客の買物中に処理されるか、又は、買物セッション記録のデータマイニングバッチ処理中に計算される。
【０１７０】
ロイヤルティープログラム償還処理機能２３０４は、買物客によるロイヤルティープログラム点数の償還を管理する。この機能は、買物客の買物中に、商品券、商店主製品、又は、生の割引の償還を処理する。
買物客報告書生成機能２３１４は、累積点数、商店主トラフィック、及び、買物客別の償還点数を詳細に記載した買物客及び商店主のための定期的報告書を生成する。ロイヤルティープログラム報告書は、「ＳｈｏｐＬｉｖｅ」買物客に電子メールで送られてもよい。
【０１７１】
ロイヤルティープログラム報酬金管理機能２３０８は、ロイヤルティープログラム管理者がその様々なプログラム報酬金を維持することを可能にする。本システムによって、ロイヤルティープログラム報酬金に関連した業務規則を作成及び更新することができる。
「外部ロイヤルティープログラムデータ処理２３１０」機能は、ロイヤルティープログラムが買物客データ及び点数更新を外部ロイヤルティープログラム・プロバイダから受け入れることを可能にする。これによって、外部アプリケーションを「ＳｈｏｐＬｉｖｅ」プログラムと同期させることができる。情報は、通常は標準的なＸＭＬ更新伝送で外部プログラムから受信される。
【０１７２】
図２４は、「ＳｈｏｐＬｉｖｅ」商店主による動的及び静的競売２４００の両方を管理するシステム機能を提供する「ＳｈｏｐＬｉｖｅ」競売を示している。ビデオ会議処理ソフトウエアは、「ＳｈｏｐＬｉｖｅ」環境内における日程計画及び履行を含む動的競売のためのビデオサポートを提供する。「ＳｈｏｐＬｉｖｅ」は、外部第三者競売アプリケーションサービス・プロバイダ（ＡＳＰ）とのインタフェースを形成する。通常の競売構成要素は、以下の機能性を提供する。
【０１７３】
競売日程計画機能２４０２は、商店主が「ＳｈｏｐＬｉｖｅ」アプリケーション内で生ビデオ競売及び静的競売を日程計画することを可能にする。商店主は、日付や競売に含まれる製品を有する競売パラメータを詳説した競売スケジュールを更新する。商店主は、自動通知処理中に、含むべき参加者リストを更新することができる。
競売登録機能２４１２は、買物客が予定された競売に登録し、動的競売用の自動入札コードの割り当てを受けることを可能にする。この機能はまた、競売に登録した参加者への通知を処理する。競売を行い販売品目を予め閲覧するのに、生ビデオを使用してもよい。
【０１７４】
生競売管理機能２４０４は、商店主に対して生競売を管理する自動化ツールを提供する。これを行う１つの方法は、ビデオ会議能力を使用することである。商店主は、入札の記録、競売中における買物客との対話、及び、時間制限の管理を行うことができる。
静的競売管理機能２４０６は、商店主が静的競売に付随する処理を管理することを可能にする。商店主は、静的入札を検討し、買物客の問合せに応答し、競売登録者を受け入れ、競売制限時間を管理することができる。
【０１７５】
競売カタログ更新機能２４０８は、商店主が競売される品目の製品説明を保持するカタログを維持することを可能にする。商店主は、説明文、品目数量、グラフィック又はビデオ画像の追加、並びに特定品目に関して予備入札の設定を行うことができる。
競売品目入札機能２４１６は、買物客が静的及び動的競売の両方に対する入札を提出することを可能にする。買物客は、自動入札を提出し、入札範囲を定義し、この処理を使用して現在競売にかけられているアクティブ製品を追跡する。
買物客入札管理機能２４１０は、「ＳｈｏｐＬｉｖｅ」アプリケーションが、生の競売つまり動的競売中に買物客による製品の入札を処理することを可能にする。この機能は、登録者からの入札のモニタ、競売中における商店主への入札の連絡、及び、買物客に対する入札結果の通知の管理を行う。
【０１７６】
競売購入処理機能２４１８は、商店主が、競売が問題なく完了した状態で買物客の競売購入品を処理することを可能にする。買物客の入札が選択されると、この処理は、落札を通知するメッセージを買物客に送り、購入詳細を編集し、クレジットカード処理のために購入ゲートウェイに接続して買物客クレジットカード処理によって購入確認を処理する。「ＳｈｏｐＬｉｖｅ」競売機能は、システム表２４３０にアクセスし、必要に応じて競売情報及び「ＳｈｏｐＬｉｖｅ」表を読み取って更新する。
【０１７７】
図２５は、夜間買物客通知処理２５００を示す。「ＳｈｏｐＬｉｖｅ」アプリケーションは、買物客の個人フォルダ内でフラッグが出されている奉仕品目又は人気品目の通知を処理するモジュールを組み込んでいる。このモジュールは、買物客の通知待ち行列２５３０を読み取り、買物客に特価品又は奉仕品に対して注意を喚起する。このモジュールは、買物客のログイン時２５０６に顧客に注意を発することによってログイン通知２５１０を管理し、通知処理２５１０の処理によってＰＮＱを通じて特売又はバーゲンについて直ちに買物客に注意を発する。買物客に対する奉仕品の無線による通知を使用してもよい。
【０１７８】
夜間バッチ処理機能２５０２は、買物客に奉仕品又は自動個人リマインダーに対して注意を喚起するために、個人通知処理機能２５１０を利用する。このアプリケーションは、リアルタイム及び予定された夜間バッチ処理の一部としての両方で通知待ち行列を更新する。
買物客ＰＮＱ待ち行列構築／更新機能２５０４は、「ＳｈｏｐＬｉｖｅ」表２５２０から買物客プロフィール及びカレンダ項目を読み取り、好む商店主からの又は指定された人気品目に対する製品特価のリマインダー又は通知を用いて、買物客の永続的ＰＮＱ２５３０を構築又は更新する。
買物客ログイン２５０６が発生する時、セッション開始内部処理２５０８が実行されてセッションＰＮＱ２５４０を作成する。このＰＮＱ２５４０は、買物客への通知の全てを包含する。「ＰＮＱ待ち行列」２５４０は、通知処理機能２５１０を使用して、通知、奉仕品、及び、予定イベントを買物客のセッションに配信する。
【０１７９】
「クリエーションズ」モデル
図２６を参照すると、本図は、「クリエーションズ」環境における「ＳｈｏｐＬｉｖｅ」アプリケーションの提案実施例の図式表現である。これは、機能性、サービスの有無、及び、情報集合に関して「クリエーションズ」アプリケーションを説明している。「クリエーションズ」の実施例は、サポート機能性をもたらすように互いに束ねられた「ＳｈｏｐＬｉｖｅ」構成要素に基づいている。「クリエーションズ」実施例は、「ＳｈｏｐＬｉｖｅ」技術の特化された応用例であるが、構成要素のクラスタ化に対する基本的手法は、多くの実施例の基礎である。
「クリエーションズ」実施例は、インターネット買物客及び飛び込み買物客の両方に対して「ＳｈｏｐＬｉｖｅ・インターネット」及びクリエーションズ小売り商店主によって提供されるサービスの観点から機能領域を説明している。本図は、以下で説明する構成要素及び固有サービスの２つの主要なグループから成っている。
【０１８０】
「ＳｈｏｐＬｉｖｅ・インターネット」２６０２機能グループは、「クリエーションズ」実施例をサポートする「ＳｈｏｐＬｉｖｅ」機能の複合体である。買物客、「ＳｈｏｐＬｉｖｅ」管理者、及び、「ＳｈｏｐＬｉｖｅ」ＣＲＭ機能サービスは、この構成要素グループによってサポートされている。個々の構成要素及びその関連情報は、図式では機能領域として描かれており、上述の一次及び二次構成要素と更に関連する。２６０２のセッションゲートウェイ・フレームワーク構成要素は、他の機能領域との通信及び情報交換を管理する。図内の矢印は、情報交換を示す。「クリエーションズ」システムユーザが利用可能な通常のサービス又は機能には、買物客プロフィール機能及びサービスへのアクセス、買物ミッション管理サービス、ビデオカメラ配達及び管理サービス、ＳＬＡ処理（サービス、手助け、及び、データ）、購入ゲートウェイ機能及びサービス、買物カート機能、モールレジストリ機能、店舗（商店主）レジストリ機能、ビデオステーション・レジストリサービス、「クリエーションズ」商店主ウェブサイト、及び、システムプロフィール、ロイヤルティープログラムサービス、「クリエーションズ」商店主のための買物客プロフィール処理及び様々なマーケティング報告書、商店主カタログ機能及びデータ、ビデオカタログ機能及びデータへのアクセス、商店主在庫サービス、及び、「ＳｈｏｐＬｉｖｅ」検索エンジンが含まれる。
【０１８１】
クリエーションズ機能領域２６０４には、アプリケーション内の一般的な「クリエーションズモール」によって提供されるサービス及び機能が説明されている。「クリエーションズ」システムユーザは、セッションゲートウェイ・フレームワーク構成要素を通じて「ＳｈｏｐＬｉｖｅ」、商店主、及び、買物客と対話する。「クリエーションズ」位置に対して利用可能な一般的なサービス又は機能は、「ＳｈｏｐＬｉｖｅ」検索エンジンへのアクセス、小売り商店主ディレクトリ情報、在庫管理サービス、製品発送サービス（ＦｅｄＥｘなどの外部アプリケーションを含む）、カタログ事務管理サービスへの商店主のアクセス、ビデオカタログ事務管理サービスへのアクセス、倉庫及び在庫管理サービス、ＰＯＳシステムとの将来的な一体化、生ビデオ買物サービスへのアクセス、顧客注文事務管理機能へのアクセス、モールアシスタントによるＳＬＡ機能の提供及びそのアクセス、及び、特定モール用マーケティング及びトラフィック情報報告書である。
【０１８２】
カメラは、商店主製品カタログと綿密に一体化しており、インターネット買物客がオンラインカタログから製品を選び、その製品に直ちにカメラの焦点を合わせることを可能にする。買物客は、重なり合ったカメラの１つを使用することにより、又は、インターネットを通じてカメラの動きを操作することにより同一製品の別の視野を選択する。内蔵ビデオ管理知能は、ソフトウエアが買物客が見ている製品（カメラ位置フィードバック及びビデオ格子解析に基づく）を判断し、オンライン商店主カタログから詳細な製品情報を提供することを可能にする。ビデオ管理ソフトウエアは、買物客が店頭ブラウジングセッション中に隣接するカメラに自動的に移されることを可能にする。店内ビデオカメラの正しい位置決め及び配置によって、インターネット買物客にとって最適な閲覧機能性が得られる。「ＳｈｏｐＬｉｖｅ」は、小売店位置での配備のための配置仕様に到達すべく広範な分析を完了している。一般的な「クリエーションズ」位置に対するビデオカメラ配置仕様は、最適視野角度及びカメラ位置、最大限の商品撮影範囲、多重カメラ撮影範囲をもたらす視野範囲領域の重複、及び、商店主店頭内における予め定義された格子位置と製品との関連付けに対処するように特に開発されたものである。
【０１８３】
「ビデオステーション配置仕様」図式である図２７は、商店主位置の最適カメラ撮影範囲を形成するための「クリエーションズ」位置２７００内におけるビデオステーションの位置決めを示す平面図である。添付の本図において、カメラ２７０２及び２７０４は、多重の壁を有する店頭２７０５の重複撮影範囲をもたらす。通常のビデオカメラ２７０６は、４つの取り囲む店先の部分的な撮影範囲を形成する。ビデオカメラ２７０２及び２７０４を店先壁部の端部で千鳥に配置することにより、遠隔ビデオ買物客に対する各カメラの最大撮影範囲が得られる。この配置において、遠隔ビデオ買物客は、店頭内の商品を見るための幾つかのカメラへのアクセスを有し、本人が店頭にいる場合に匹敵する閲覧体験を達成する。このカメラの組み合わせは、店頭の垂直及び水平平面を効果的に走査し、商品を本人が見ている場合に相当する視覚的均等物を作り出す
【０１８４】
図２８を参照すると、ビデオカメラ及びタッチスクリーンタブレットを予め組み立てられ予め配線されたモジュール式コラム内に組み込むことにより、「ＳｈｏｐＬｉｖｅ」ビデオカメラ技術の既存又は新しい小売り商店主位置への配備が可能になる。モジュール式コラムは、小売店環境において「ＳｈｏｐＬｉｖｅ」技術が依然として障害となり得ないような丈夫なプラットフォームを形成するように設計される。ビデオカメラワークステーションは、それらを物理的な配線上の制約のない独立型ユニットにすることを可能にするＲＦＩ（「無線周波数」送信）を含む最新技術を使用し、ここで利用可能である。
【０１８５】
「ＳｈｏｐＬｉｖｅ」にアクセスするためのタッチスクリーン２８０４を組み込んだ直立コラム２８０２が図示されている。このコラム２８０２は、基部２８０６の上に載っている。コラム２８０６内には、１つ又はそれ以上のヒンジ式ビデオカメラと、３６０度円弧内の品目を見るために可動式かつ垂直移動するようにヒンジ式の付随モータ２８１０とがある。同じく壁マウントに取り付けられたビデオカメラを示す壁用ユニット２８１２が示されている。可動式カメラの正面図は、モジュール２８１４で示されている。これらのカメラは、単独又は組み合わせで、商品の遠隔閲覧が可能となるように既存の店内環境で使用することができるが、小売店の営業の邪魔や妨害はしない。
【０１８６】
図２９を参照すると、生の「ブラウザ」２９００は、登録「ＳｈｏｐＬｉｖｅ」ユーザ及びブロードバンド加入者に対してマルチメディア内容を配信する「ＳｈｏｐＬｉｖｅ」ビデオ技術の専用アプリケーションである。
「生ブラウザ」は、インターネットブラウザ及び対話型カスタム化スクリーンセイバーから成る。登録買物客がネットサーフィンしている時、「生ブラウザ」は、買物客の好みに基づくカスタム化された内容をブラウザメニューの生スクリーンリアルエステートの予約領域に表示する。この内容は、ニュース、音楽ビデオ、金融ニュース、インターネットラジオ、広告、及び、他のインターネットマルチメディア内容から成る。「生ブラウザ」はまた、買物客がマウスの１回のクリックで「ＳｈｏｐＬｉｖｅ」アプリケーション機能を完了することを可能にする特別ツールバー項目を特徴とする。対話型スクリーンセイバーは、パーソナルコンピュータ又は同様のポータルが使用されていない時に、買物客の好みに基づいて個人化された内容を表示する。買物客は、マウスをクリックすると、対話型スクリーンセイバーに表示されている製品に関する追加情報を直ちに得ることができる。買物客は、キーを押すことによって「生ブラウザ」に戻ってもよい。
【０１８７】
このブラウザは、以下の概念に基づく。それは、顧客に対して、彼等のパーソナルコンピュータやウェブテレビ又は移動体装置などの類似の装置を広告媒体に変える特化パーソナルコンピュータ「生ブラウザ」スクリーンセイバーをもたらす。この「生ブラウザ」は、カスタム化された生ブラウザ及び対話型スクリーンセイバーアプリケーションを通じて、特化及び個人化されたマルチメディア内容を各買物客のポータルに流す。広告及び製品情報コマーシャルを含む内容は、顧客の買物客プロフィール、銘柄の好み、購入履歴、及び、家族又は消費者人口統計学的結果に基づいて顧客を標的にする。プログラムへの参加を希望する登録「ＳｈｏｐＬｉｖｅ」買物客は、彼等の参加に対して、無料ＤＳＬブロードバンド、加入手数料に対するクレジット、割引、優待券、懸賞金、又は、賞品などの特典を受けることができる。任意選択の無料ＤＳＬブロードバンドは、通常、「生ブラウザ」と提携した「ＩＳＰ」又は「Ｔｅｌｃｏ」プロバイダから提供される。特典と引き換えに、買物客は、自分のパーソナルコンピュータ上で２４／７スケジュールで生ブラウザを実行することに同意する。
【０１８８】
特典は、予め定義された数の「ＳｈｏｐＬｉｖｅ」商店主への定期的な来店及び「ＳｈｏｐＬｉｖｅ」ロイヤルティープログラムへの参加、及び、月間、四半期、又は、年間ベースで定期的に又は優待券償還を通じて「ＳｈｏｐＬｉｖｅ」商店主から特定金額の製品を購入することを通じて得ることができる。「ＳｈｏｐＬｉｖｅ」商店主とのこのような活動と引き換えに、ＤＳＬ経費の補助金付与をはじめとする様々な特典が買物客に対して用意されている。
【０１８９】
「生ブラウザ」は、メディア向けの専用聴視者を提供された「ＳｈｏｐＬｉｖｅ」商店主及びパートナーのための新しい広告アウトレットを提供する。内容は、ブラウザを通じて買物客のパーソナルコンピュータに表示される、ビデオ、グラフィック、及び、テキストによる音を伴うメッセージから成り、上述したように買物客の好みに合わせて買物客向けに個人化される。買物客は、興味のある広告をクリックし、その製品を提供する商店主に直ちに連れて行かれることが可能である。
【０１９０】
「生」ブラウザは、買物客に対して、製品又はサービス提供に関するあらゆる質問に回答することができるＳＬＡ又はビデオ商店主（「セッション開始」４０４を通じて）と直ちに接続する能力を提供する。「生」ブラウザは、「生の懸賞金」、「生のサービス」、「生の専門家」、及び、「オンライン照会」のような他の「ＳｈｏｐＬｉｖｅ」提供物と一体化される。これらのサービスへのアクセスは、「ＳｈｏｐＬｉｖｅ」商店主からの製品の購入を通じてトリガすることができる。
【０１９１】
「生」ブラウザは、買物客プロフィールに基づいて買物客に向けた情報コマーシャル及び製品デモを流す能力を準備する。それは、ウィンドウズ（登録商標）、Ｌｉｎｕｘ、及び、マッキントッシュを含む全ての標準的オペレーティングシステムをサポートする。「生」ブラウザは、インターネットや、テレビ、ラジオ、及び、衛星放送などの従来型ソースからの内容配信をサポートし、インターネットラジオ、インターネットテレビ、又は、「インターネットビデオ」などの将来的な内容配信に対応している。
【０１９２】
「生ブラウザ」２９００は、「生ブラウザ」対話型スクリーンセイバー及びインターネットブラウザ・ツールバーという２つの異なる構成要素を特徴とし、これらは共に「ＳｈｏｐＬｉｖｅ」アプリケーションと密接に一体化している。ダウンロード可能なプラグインは、更に小型であり、情報交換ができるように「ＳｈｏｐＬｉｖｅ」ブラウザと密接に結合している。
インターネットブラウザ・ツールバーは、「ＳｈｏｐＬｉｖｅ」構成要素、並びに買物客の好みに基づいて個人化された「ＳｈｏｐＬｉｖｅ」内容を表示する予約広告領域へのボタン１つによるアクセスを特徴とするカスタム化可能「ＳｈｏｐＬｉｖｅ」ツールバーメニューが特色である。
【０１９３】
生ブラウザ対話型スクリーンセイバーは、買物客の記録された好みに基づいて個人化されたマルチメディア内容を買物客の使用していないパーソナルコンピュータに流すマルチメディア情報チャンネルとして作用する。
買物客は、ブラウザのダウンロード及びインストールを管理して買物客が彼等のパーソナルコンピュータにインストールされた最新バージョンを有することを保証するダウンロード生ブラウザ及びツールバー機能２９０２にアクセスすることにより、生ブラウザ機能を利用することができる。
【０１９４】
ブラウザログイン機能２９０４は、買物客が生ブラウザ制御パネルにログオンして「生ブラウザ」及び「ＳｈｏｐＬｉｖｅ」ツールバー制御へのアクセスを持つことを可能にする。買物客登録情報は、表２９３０の買物客プロフィール情報からの買物客プロフィールデータを使用してアクセスされる。
買物客好み管理機能２９０６は、買物客が彼等の生ブラウザ及びツールバーに対してマルチメディア上の好みを対話式に設定することを可能にする。このブラウザによって、買物客は、広範囲なマルチメディア内容（例として、ニュース、音楽ビデオ、金融ニュース、インターネットラジオ、広告、及び、他のマルチメディア内容）から選択することができる。内容配信管理２９０８内部機能は、買物客の好みに基づいて様々な内容プロバイダから生ブラウザ及び「ＳｈｏｐＬｉｖｅ」ツールバーへの内容配信を管理する。この機能は、プロバイダ情報を含み内容プロバイダをその外部サイトとリンクさせるシステム表を維持する。
【０１９５】
通知処理機能２９１０は、買物客の「ＳｈｏｐＬｉｖｅ」セッションへのシステム通知の配信を管理する。この機能２９１０は、「ＳｈｏｐＬｉｖｅ」通知待ち行列を使用して特定生ブラウザ用の通知の配信を自動的に管理する。この機能は、買物客が「ＳｈｏｐＬｉｖｅ」アプリケーションを使用しているか、又は、生ブラウザがアクティブであるかを検出し、それに応じて通知の配信を管理する。
「ＳｈｏｐＬｉｖｅ」生ブラウザ表２９３０は、買物客データを検索及び更新するために様々な生ブラウザ機能によってアクセスされる。
【図面の簡単な説明】
【図１】情報が「ＳｈｏｐＬｉｖｅ・システム」参加者の間で交換される方法又はチャンネルを示す概略図である。
【図２】「ＳｈｏｐＬｉｖｅ・システム」の実施モデルを示す概略図である。
【図３】「ＳｈｏｐＬｉｖｅ」ビデオセッションのシステムアーキテクチャを示す概略図である。
【図４】「ＳｈｏｐＬｉｖｅ」買物ミッションのシステムアーキテクチャに関する概略図である。
【図５】買物客プロフィールを作成及び管理するアーキテクチャに関する概略図である。
【図６】買物客が「ＳｈｏｐＬｉｖｅ支援ショッピング」と対話することを可能にするアーキテクチャに関する概略図である。
【図７】「ＳｈｏｐＬｉｖｅ」通知処理のシステムアーキテクチャに関する概略図である。
【図８】多数の商店主からの購入を可能にする世界的規模の買物チャートのシステムアーキテクチャに関する概略図である。
【図９】購入ゲートウェイを管理するシステムに関する概略図である。
【図１０】「クリエーションズ」モールの実施形態である１つの「ＳｈｏｐＬｉｖｅ」実施形態における注文調達システムの概略図である。
【図１１】「ＳｈｏｐＬｉｖｅ」システムにアクセスするための買物客取引ゲートウェイの概略図である。
【図１２】「ＳｈｏｐＬｉｖｅ」システムと買物セッションのアプリケーションとの間の情報交換を管理する共通ゲートウェイの概略図である。
【図１３】モール検索エンジンに関する概略図である。
【図１４】外部商店主カタログのための検索ＡＰＩ（アプリケーション・プログラミング・インタフェース）の概略図である。
【図１５】買物客が商店主のカタログ、画像、テキスト、及び、ビデオ画像の列にアクセスすることを可能にするシステムの概略図である。
【図１６】ＡＰＩを通した外部在庫アクセスのシステムに関する概略図である。
【図１７】購入履行システムの概略図である。
【図１８】買物客プロフィール情報を商店主に供給するシステムの概略図である。
【図１９】買物客、商店主、及び、モールを対象にした顧客関係サービスを管理するシステムの概略図である。
【図２０】「ＳｈｏｐＬｉｖｅ」管理システムの概略図である。
【図２１】商店主管理システムの概略図である。
【図２２】モール管理システムの概略図である。
【図２３】「ＳｈｏｐＬｉｖｅ・ロイヤルティープログラム」の概略図である。
【図２４】「ＳｈｏｐＬｉｖｅ・競売」システムの概略図である。
【図２５】買物客夜間通知システムのデータを管理するシステムの概略図である。
【図２６】「クリエーションズ」モデル内での「ＳｈｏｐＬｉｖｅ・システム」の実施モデルの概略図である。
【図２７】「クリエーションズ・カメラ配置」の概略図である。
【図２８】「クリエーションズ・ビデオワークステーション・カメラ・キオスク」の概略図である。
【図２９】「生ブラウザ」の概略図である。
【図１】
2004507803.tif 000003
【図２】
2004507803.tif 000004
【図３】
2004507803.tif 000005
【図４】
2004507803.tif 000006
【図５】
2004507803.tif 000007
【図６】
2004507803.tif 000008
【図７】
2004507803.tif 000009
【図８】
2004507803.tif 000010
【図９】
2004507803.tif 000011
【図１０】
2004507803.tif 000012
【図１１】
2004507803.tif 000013
【図１２】
2004507803.tif 000014
【図１３】
2004507803.tif 000015
【図１４】
2004507803.tif 000016
【図１５】
2004507803.tif 000017
【図１６】
2004507803.tif 000018
【図１７】
2004507803.tif 000019
【図１８】
2004507803.tif 000020
【図１９】
2004507803.tif 000021
【図２０】
2004507803.tif 000022
【図２１】
2004507803.tif 000023
【図２２】
2004507803.tif 000024
【図２３】
2004507803.tif 000025
【図２４】
2004507803.tif 000026
【図２５】
2004507803.tif 000027
【図２６】
2004507803.tif 000028
【図２７】
2004507803.tif 000029
【図２９】
2004507803.tif 000030
【国際公開パンフレット】
2004507803.tif 000031
2004507803.tif 000032
2004507803.tif 000033
2004507803.tif 000034
2004507803.tif 000035
2004507803.tif 000036
2004507803.tif 000037
2004507803.tif 000038
2004507803.tif 000039
2004507803.tif 000040
2004507803.tif 000041
2004507803.tif 000042
2004507803.tif 000043
2004507803.tif 000044
2004507803.tif 000045
2004507803.tif 000046
2004507803.tif 000047
2004507803.tif 000048
2004507803.tif 000049
2004507803.tif 000050
2004507803.tif 000051
2004507803.tif 000052
2004507803.tif 000053
2004507803.tif 000054
2004507803.tif 000055
2004507803.tif 000056
2004507803.tif 000057
2004507803.tif 000058
2004507803.tif 000059
2004507803.tif 000060
2004507803.tif 000061
2004507803.tif 000062
2004507803.tif 000063
2004507803.tif 000064
2004507803.tif 000065
2004507803.tif 000066
2004507803.tif 000067
2004507803.tif 000068
2004507803.tif 000069
2004507803.tif 000070
2004507803.tif 000071
2004507803.tif 000072
2004507803.tif 000073
2004507803.tif 000074
2004507803.tif 000075
2004507803.tif 000076
2004507803.tif 000077
2004507803.tif 000078
2004507803.tif 000079
2004507803.tif 000080
2004507803.tif 000081
2004507803.tif 000082
2004507803.tif 000083
2004507803.tif 000084
2004507803.tif 000085
2004507803.tif 000086
2004507803.tif 000087
2004507803.tif 000088
2004507803.tif 000089
2004507803.tif 000090
2004507803.tif 000091
2004507803.tif 000092
2004507803.tif 000093
2004507803.tif 000094
2004507803.tif 000095
2004507803.tif 000096
2004507803.tif 000097
2004507803.tif 000098
2004507803.tif 000099
2004507803.tif 000100
2004507803.tif 000101
2004507803.tif 000102
2004507803.tif 000103
2004507803.tif 000104
2004507803.tif 000105
2004507803.tif 000106
2004507803.tif 000107
2004507803.tif 000108
2004507803.tif 000109
2004507803.tif 000110
2004507803.tif 000111
2004507803.tif 000112
2004507803.tif 000113
2004507803.tif 000114
2004507803.tif 000115
2004507803.tif 000116
2004507803.tif 000117
2004507803.tif 000118
2004507803.tif 000119
2004507803.tif 000120
【国際調査報告】
2004507803.tif 000121